(57)【要約】【課題】各地で生成されたコンテンツを容易に把握する。【解決手段】位置情報取得部３２０は、コンテンツの位置情報を取得する。グループ設定部３３０は、位置情報に基づいて、複数のコンテンツを分類して複数の撮影エリアを設定する。方位算出部３４０は、位置情報に基づいて、基準位置からの方位を撮影エリア毎に算出する。撮影エリア分類部３５０は、算出された方位に基づいて、複数の撮影エリアを特定方位毎に分類する。撮影エリア配置決定部３６０は、基準位置からの距離に基づいて、特定方位毎の撮影エリアの並び順を決定し、この決定された並び順に従って、複数の撮影エリアの配置を決定する。表示制御部３７０は、基準位置を表す画像を表示させ、決定された配置に基づいて、基準位置を表す画像から略放射状に延びるように、複数の撮影エリアを表す画像を特定方位毎に並べて表示させる。【選択図】図３
2011043931.tif 000002
【特許請求の範囲】
【請求項１】
位置情報が関連付けられている複数のコンテンツについて前記位置情報に基づいて前記複数のコンテンツを分類して複数のグループを設定するグループ設定部と、
前記位置情報に基づいて基準位置からの方位を前記グループ毎に算出する方位算出部と、
前記算出された方位に基づいて前記複数のグループを特定方位毎に分類する分類部と、
前記複数のグループのそれぞれを表す各画像を前記特定方位毎に分類して表示させる表示制御部と
を具備する情報処理装置。
【請求項２】
前記表示制御部は、前記複数のグループのそれぞれを表す各画像を前記特定方位毎に一定の規則により並べて表示させる請求項１記載の情報処理装置。
【請求項３】
前記表示制御部は、前記基準位置を表す画像を表示させるとともに前記基準位置を表す画像から略放射状に延びるように前記複数のグループのそれぞれを表す各画像を前記特定方位毎に並べて表示させる請求項１記載の情報処理装置。
【請求項４】
前記基準位置から前記位置情報により特定される位置までの距離に基づいて前記特定方位毎の前記グループを表す画像の並び順を決定して前記決定された並び順に従って前記複数のグループのそれぞれを表す各画像の配置を決定する配置決定部をさらに具備し、
前記表示制御部は、前記決定された配置に基づいて前記複数のグループのそれぞれを表す各画像を表示させる
請求項１記載の情報処理装置。
【請求項５】
前記配置決定部は、前記決定された並び順において隣接する前記グループ間の距離が基準を超えている場合には前記隣接するグループ間を所定範囲離して配置するように前記配置を決定する請求項４記載の情報処理装置。
【請求項６】
前記位置情報は、前記コンテンツが生成または更新された位置に関する位置情報であり、
前記グループ設定部は、前記位置情報に基づいて前記コンテンツが属する所定範囲の領域を前記コンテンツ毎に特定して当該特定された領域に基づいて前記複数のグループを設定する
請求項１記載の情報処理装置。
【請求項７】
前記グループ設定部は、前記基準位置から前記位置情報により特定される位置までの距離に応じて前記領域の大きさを変更する請求項６記載の情報処理装置。
【請求項８】
前記グループ設定部は、前記位置情報により特定される位置に応じて前記領域の大きさを変更する請求項６記載の情報処理装置。
【請求項９】
前記表示制御部は、前記領域に関連する標識を当該領域に対応するグループを表す画像として表示させる請求項６記載の情報処理装置。
【請求項１０】
前記特定方位は、４方位、８方位、１６方位および３２方位の何れかを単位をとする方位であり、
前記表示制御部は、前記複数のグループのそれぞれを表す各画像を前記特定方位を表す範囲毎に分類して表示させる
請求項１記載の情報処理装置。
【請求項１１】
前記表示されている前記グループを表す画像を選択する選択操作を受け付ける操作受付部をさらに具備し、
前記表示制御部は、前記選択操作が受け付けられた場合には前記選択された画像に対応するグループに属するコンテンツの一覧を表示させる
請求項１記載の情報処理装置。
【請求項１２】
前記表示されている前記複数のグループのそれぞれを表す各画像のうちユーザにより注視されている画像領域を検出する検出部をさらに具備し、
前記表示制御部は、前記注視されている画像領域と他の画像領域とを異なる表示態様に変更する
請求項１記載の情報処理装置。
【請求項１３】
前記表示されている前記複数のグループのそれぞれを表す各画像の何れかを選択状態とする選択操作を受け付ける操作受付部をさらに具備し、
前記表示制御部は、前記選択操作が受け付けられた場合には前記選択状態とされた画像の周辺領域と他の領域とを異なる表示態様に変更する
請求項１記載の情報処理装置。
【請求項１４】
前記複数のコンテンツには日時情報が関連付けられ、
前記グループ設定部は、前記日時情報に基づいて前記複数のコンテンツを所定の日時単位で分類して当該分類された各コンテンツについて前記グループを設定する
請求項１記載の情報処理装置。
【請求項１５】
位置情報が関連付けられている複数のコンテンツについて前記位置情報に基づいて基準位置からの方位を前記コンテンツ毎に算出する方位算出部と、
前記算出された方位に基づいて前記複数のコンテンツを特定方位毎に分類する分類部と、
前記複数のコンテンツのそれぞれを表す各画像を前記特定方位毎に分類して表示させる表示制御部と
を具備する情報処理装置。
【請求項１６】
位置情報が関連付けられている複数のコンテンツについて前記位置情報に基づいて前記複数のコンテンツを分類して複数のグループを設定するグループ設定手順と、
前記位置情報に基づいて基準位置からの方位を前記グループ毎に算出する方位算出手順と、
前記算出された方位に基づいて前記複数のグループを特定方位毎に分類する分類手順と、
前記複数のグループのそれぞれを表す各画像を前記特定方位毎に分類して表示させる表示制御手順と
を具備する表示制御方法。
【請求項１７】
位置情報が関連付けられている複数のコンテンツについて前記位置情報に基づいて前記複数のコンテンツを分類して複数のグループを設定するグループ設定手順と、
前記位置情報に基づいて基準位置からの方位を前記グループ毎に算出する方位算出手順と、
前記算出された方位に基づいて前記複数のグループを特定方位毎に分類する分類手順と、
前記複数のグループのそれぞれを表す各画像を前記特定方位毎に分類して表示させる表示制御手順と
をコンピュータに実行させるプログラム。
【発明の詳細な説明】
【技術分野】
【０００１】
本発明は、情報処理装置に関し、特に、画像ファイル等のコンテンツを表示させる情報処理装置、および、表示制御方法ならびに当該方法をコンピュータに実行させるプログラムに関する。
【背景技術】
【０００２】
近年、風景や人物等の被写体を撮像して画像を生成し、生成された画像を画像ファイルとして記録するデジタルスチルカメラ、デジタルビデオカメラ（例えば、カメラ一体型レコーダ）等の撮像装置が普及している。また、生成された画像に、その撮像時における位置に関する位置情報を関連付けて記録することが可能な撮像装置が存在する。
【０００３】
また、このように記録された画像を表示する場合に、画像に関連付けられている位置情報に基づいて、その画像が撮影された場所に対応する地図上の位置にその画像を重ねて表示することが可能なパーソナルコンピュータ等の情報処理装置が提案されている。例えば、撮像画像に基づいて作成されたサムネイル画像を、その撮像画像に関連付けられている位置情報に対応する地図上の位置にマッピングさせて表示する画像再生装置が提案されている（例えば、特許文献１参照。）。
【先行技術文献】
【特許文献】
【０００４】
【特許文献１】特開２００５−１１０１１１号公報（図１）
【発明の概要】
【発明が解決しようとする課題】
【０００５】
上述の従来技術によれば、地図上における撮影場所に対応する位置にサムネイル画像が表示されるため、各サムネイル画像に対応する画像の撮影場所をユーザが直感的に把握することができる。また、表示されている地図についてズームイン操作またはズームアウト操作を行うことにより、その操作に応じて変更された地図に含まれる領域内で撮影された画像を一画面上で見ることができる。
【０００６】
このように、撮影された画像を観賞する場合において、一定の領域内における撮影場所を基準として複数の画像をまとめて一画面上で見ることができる。ここで、例えば、東京に住んでいる人により撮影された画像は、生活範囲内である東京近郊の画像が比較的多くなり、他の地域（例えば、旅行で行った北海道やイギリス）の画像が比較的少なくなると想定される。このため、生活範囲内で撮影された画像と、他の地域で撮影された画像との内容を把握する場合には、ズームイン操作またはズームアウト操作を行うことにより、各地域の地図を表示させて各画像を表示させることが想定される。
【０００７】
しかしながら、自宅からの距離が近い場所や離れている場所が混在している複数の画像について、方位を考慮して容易に把握することができれば、撮影された画像をさらに楽しく観賞することができると考えられる。
【０００８】
本発明はこのような状況に鑑みてなされたものであり、各地で生成されたコンテンツを容易に把握することを目的とする。
【課題を解決するための手段】
【０００９】
本発明は、上記課題を解決するためになされたものであり、その第１の側面は、位置情報が関連付けられている複数のコンテンツについて上記位置情報に基づいて上記複数のコンテンツを分類して複数のグループを設定するグループ設定部と、上記位置情報に基づいて基準位置からの方位を上記グループ毎に算出する方位算出部と、上記算出された方位に基づいて上記複数のグループを特定方位毎に分類する分類部と、上記複数のグループのそれぞれを表す各画像を上記特定方位毎に分類して表示させる表示制御部とを具備する情報処理装置および表示制御方法ならびに当該方法をコンピュータに実行させるプログラムである。これにより、複数のコンテンツを分類して複数のグループを設定し、基準位置からの方位をグループ毎に算出し、この算出された方位に基づいて複数のグループを特定方位毎に分類し、複数のグループのそれぞれを表す各画像を特定方位毎に分類して表示させるという作用をもたらす。
【００１０】
また、この第１の側面において、上記表示制御部は、上記複数のグループのそれぞれを表す各画像を上記特定方位毎に一定の規則により並べて表示させるようにしてもよい。これにより、複数のグループのそれぞれを表す各画像を特定方位毎に一定の規則により並べて表示させるという作用をもたらす。
【００１１】
また、この第１の側面において、上記表示制御部は、上記基準位置を表す画像を表示させるとともに上記基準位置を表す画像から略放射状に延びるように上記複数のグループのそれぞれを表す各画像を上記特定方位毎に並べて表示させるようにしてもよい。これにより、基準位置を表す画像を表示させるとともに、基準位置を表す画像から略放射状に延びるように、複数のグループのそれぞれを表す各画像を特定方位毎に並べて表示させるという作用をもたらす。
【００１２】
また、この第１の側面において、上記基準位置から上記位置情報により特定される位置までの距離に基づいて上記特定方位毎の上記グループを表す画像の並び順を決定して上記決定された並び順に従って上記複数のグループのそれぞれを表す各画像の配置を決定する配置決定部をさらに具備し、上記表示制御部は、上記決定された配置に基づいて上記複数のグループのそれぞれを表す各画像を表示させるようにしてもよい。これにより、特定方位毎のグループを表す画像の並び順を決定し、この決定された並び順に従って複数のグループのそれぞれを表す各画像の配置を決定し、この決定された配置に基づいて複数のグループのそれぞれを表す各画像を表示させるという作用をもたらす。
【００１３】
また、この第１の側面において、上記配置決定部は、上記決定された並び順において隣接する上記グループ間の距離が基準を超えている場合には上記隣接するグループ間を所定範囲離して配置するように上記配置を決定するようにしてもよい。これにより、隣接するグループ間の距離が基準を超えている場合には、そのグループ間を所定範囲離して配置するという作用をもたらす。
【００１４】
また、この第１の側面において、上記位置情報は、上記コンテンツが生成または更新された位置に関する位置情報であり、上記グループ設定部は、上記位置情報に基づいて上記コンテンツが属する所定範囲の領域を上記コンテンツ毎に特定して当該特定された領域に基づいて上記複数のグループを設定するようにしてもよい。これにより、コンテンツが生成または更新された位置に基づいて各コンテンツが属する所定範囲の領域をコンテンツ毎に特定し、この特定された領域に基づいて複数のグループを設定するという作用をもたらす。
【００１５】
また、この第１の側面において、上記グループ設定部は、上記基準位置から上記位置情報により特定される位置までの距離に応じて上記領域の大きさを変更するようにしてもよい。これにより、基準位置から、位置情報により特定される位置までの距離に応じて、領域の大きさを変更するという作用をもたらす。
【００１６】
また、この第１の側面において、上記グループ設定部は、上記位置情報により特定される位置に応じて上記領域の大きさを変更するようにしてもよい。これにより、位置情報により特定される位置に応じて領域の大きさを変更するという作用をもたらす。
【００１７】
また、この第１の側面において、上記表示制御部は、上記領域に関連する標識を当該領域に対応するグループを表す画像として表示させるようにしてもよい。これにより、領域に関連する標識を、その領域に対応するグループを表す画像として表示させるという作用をもたらす。
【００１８】
また、この第１の側面において、上記特定方位を、４方位、８方位、１６方位および３２方位の何れかを単位をとする方位とし、上記表示制御部は、上記複数のグループのそれぞれを表す各画像を上記特定方位を表す範囲毎に分類して表示させるようにしてもよい。これにより、複数のグループのそれぞれを表す各画像を特定方位を表す範囲毎に分類して表示させるという作用をもたらす。
【００１９】
また、この第１の側面において、上記表示されている上記グループを表す画像を選択する選択操作を受け付ける操作受付部をさらに具備し、上記表示制御部は、上記選択操作が受け付けられた場合には上記選択された画像に対応するグループに属するコンテンツの一覧を表示させるようにしてもよい。これにより、表示されているグループを表す画像を選択する選択操作が受け付けられた場合には、選択された画像に対応するグループに属するコンテンツの一覧を表示させるという作用をもたらす。
【００２０】
また、この第１の側面において、上記表示されている上記複数のグループのそれぞれを表す各画像のうちユーザにより注視されている画像領域を検出する検出部をさらに具備し、上記表示制御部は、上記注視されている画像領域と他の画像領域とを異なる表示態様に変更するようにしてもよい。これにより、ユーザにより注視されている画像領域と他の画像領域とを異なる表示態様にして表示させるという作用をもたらす。
【００２１】
また、この第１の側面において、上記表示されている上記複数のグループのそれぞれを表す各画像の何れかを選択状態とする選択操作を受け付ける操作受付部をさらに具備し、上記表示制御部は、上記選択操作が受け付けられた場合には上記選択状態とされた画像の周辺領域と他の領域とを異なる表示態様に変更するようにしてもよい。これにより、表示されている複数のグループのそれぞれを表す各画像の何れかを選択状態とする選択操作が受け付けられた場合には、選択状態とされた画像の周辺領域と他の領域とを異なる表示態様にして表示させるという作用をもたらす。
【００２２】
また、この第１の側面において、上記複数のコンテンツには日時情報が関連付けられ、上記グループ設定部は、上記日時情報に基づいて上記複数のコンテンツを所定の日時単位で分類して当該分類された各コンテンツについて上記グループを設定するようにしてもよい。これにより、複数のコンテンツを所定の日時単位で分類し、この分類された各コンテンツについてグループを設定するという作用をもたらす。
【００２３】
また、この第１の側面において、位置情報が関連付けられている複数のコンテンツについて上記位置情報に基づいて基準位置からの方位を上記コンテンツ毎に算出する方位算出部と、上記算出された方位に基づいて上記複数のコンテンツを特定方位毎に分類する分類部と、上記複数のコンテンツのそれぞれを表す各画像を上記特定方位毎に分類して表示させる表示制御部とを具備する情報処理装置および表示制御方法ならびに当該方法をコンピュータに実行させるプログラムである。これにより、基準位置からの方位をコンテンツ毎に算出し、この算出された方位に基づいて複数のコンテンツを特定方位毎に分類し、複数のコンテンツのそれぞれを表す各画像を特定方位毎に分類して表示させるという作用をもたらす。
【発明の効果】
【００２４】
本発明によれば、各地で生成されたコンテンツを容易に把握することができるという優れた効果を奏し得る。
【図面の簡単な説明】
【００２５】
【図１】本発明の第１の実施の形態における撮像装置１００の外観構成例を示す斜視図である。
【図２】本発明の第１の実施の形態における撮像装置１００の内部構成例を示すブロック図である。
【図３】本発明の第１の実施の形態における撮像装置１００の機能構成例を示すブロック図である。
【図４】本発明の第１の実施の形態におけるコンテンツ記憶部１６１に記憶される画像ファイルのファイル構造の一例を示す図である。
【図５】本発明の第１の実施の形態におけるタイトル情報記憶部２３０の記憶内容を模式的に示す図である。
【図６】本発明の第１の実施の形態における撮影エリア配置情報記憶部２４０の記憶内容を模式的に示す図である。
【図７】本発明の第１の実施の形態における撮影エリア配置決定部３６０により保持されている撮影エリア配置構成テンプレート４００を模式的に示す図である。
【図８】本発明の第１の実施の形態における入出力パネル２１０において基準位置を設定する設定方法の概略を示す図である。
【図９】本発明の第１の実施の形態における撮影エリアの設定方法を模式的に示す図である。
【図１０】本発明の第１の実施の形態における撮影エリアの設定方法を模式的に示す図である。
【図１１】本発明の第１の実施の形態における方位算出部３４０による撮影エリアの方位算出方法を模式的に示す図である。
【図１２】本発明の第１の実施の形態における方位算出部３４０による撮影エリアの方位算出方法を模式的に示す図である。
【図１３】本発明の第１の実施の形態における撮影エリア配置決定部３６０による撮影エリアの配置決定方法を模式的に示す図である。
【図１４】本発明の第１の実施の形態における撮像装置１００を用いて撮影が行われた場所を概略的に示す図である。
【図１５】本発明の第１の実施の形態における入出力パネル２１０に撮影エリア表示画面を表示させるための操作画面の一例を示す図である。
【図１６】本発明の第１の実施の形態における入出力パネル２１０に表示される撮影エリア表示画面の一例を示す図である。
【図１７】本発明の第１の実施の形態における入出力パネル２１０に表示されるユーザにより選択された撮影エリアに属するコンテンツの一覧を表示するコンテンツ一覧画面の一例を示す図である。
【図１８】本発明の第１の実施の形態における入出力パネル２１０に表示される撮影エリアタイトル変更画面の一例を示す図である。
【図１９】本発明の第１の実施の形態における撮像装置１００による撮影エリア配置情報生成処理の処理手順を示すフローチャートである。
【図２０】本発明の第１の実施の形態における撮像装置１００による撮影エリア配置情報生成処理の処理手順のうちのグループ設定処理を示すフローチャートである。
【図２１】本発明の第１の実施の形態における撮像装置１００による撮影エリア配置情報生成処理の処理手順のうちの撮影エリア配置決定処理を示すフローチャートである。
【図２２】本発明の第１の実施の形態における撮像装置１００によるコンテンツ再生処理の処理手順を示すフローチャートである。
【図２３】本発明の第１の実施の形態における入出力パネル２１０に表示される撮影エリア表示画面の一例を示す図である。
【図２４】本発明の第１の実施の形態における入出力パネル２１０に表示される撮影エリア表示画面の一例を示す図である。
【図２５】本発明の第２の実施の形態におけるグループ設定部３３０により設定される撮影エリアのサイズを模式的に示す図である。
【図２６】本発明の第３の実施の形態における入出力パネル２１０に表示される撮影エリア表示画面に含まれる基準位置および撮影エリア群の表示例を示す図である。
【図２７】本発明の第３の実施の形態における注視方位と、目立たなくする処理の対象となる処理対象方位との関係を示す図である。
【図２８】本発明の第３の実施の形態における入出力パネル２１０に表示される撮影エリア表示画面に含まれる基準位置および撮影エリア群の表示例を示す図である。
【図２９】本発明の第３の実施の形態における入出力パネル２１０に表示される撮影エリア表示画面に含まれる基準位置および撮影エリア群の表示例を示す図である。
【図３０】本発明の第３の実施の形態における撮像装置１００による表示制御処理の処理手順を示すフローチャートである。
【図３１】本発明の実施の形態の変形例における撮影エリア配置決定部３６０により保持されている撮影エリア配置構成テンプレート８５０を模式的に示す図である。
【図３２】本発明の実施の形態の変形例における撮影エリア配置決定部３６０により保持されている撮影エリア配置構成テンプレート８６０を模式的に示す図である。
【図３３】本発明の第３の実施の形態における入出力パネル２１０に表示される撮影エリア表示画面に含まれる基準位置および撮影エリア群の表示例を示す図である。
【発明を実施するための形態】
【００２６】
以下、本発明を実施するための形態（以下、実施の形態と称する）について説明する。説明は以下の順序により行う。
１．第１の実施の形態（表示制御：複数のコンテンツを撮影エリア毎にグループ化し、撮影エリアを方位毎に分類して表示する例）
２．第２の実施の形態（グループ設定制御：撮影エリアのサイズを変更して複数のコンテンツをグループ化する例）
３．第３の実施の形態（表示制御：ユーザが注視する方位と他の方位とを異なる表示態様とする例）
４．変形例
【００２７】
＜１．第１の実施の形態＞
［撮像装置の外観構成例］
図１は、本発明の第１の実施の形態における撮像装置１００の外観構成例を示す斜視図である。図１（ａ）には、撮像動作状態の撮像装置１００の正面（すなわち、被写体に向けられるレンズ面）側の外観を示す。ここで、撮像動作状態は、例えば、電源がオンされている状態を意味し、非撮像動作状態は、例えば、電源がオフされている状態を意味する。また、図１（ｂ）には、撮像装置１００の背面（すなわち、撮影者に向けられる入出力パネル２１０の面）側の外観を示す。
【００２８】
撮像装置１００は、レンズカバー１０１と、レンズ１０２と、ＡＦ（Auto-Focus）イルミネータ１０３と、ズームレバー２０１と、シャッターボタン２０２と、再生ボタン２０３と、パワーボタン２０４と、入出力パネル２１０とを備える。撮像装置１００は、被写体を撮像して画像データを生成し、この画像データを静止画ファイルまたは動画ファイルとして記録し、これらを表示することが可能なデジタルスチルカメラ、デジタルビデオカメラ等により実現される。また、撮像装置１００は、特許請求の範囲に記載の情報処理装置の一例である。なお、撮像装置１００には他の操作部材も設けられているが、これらの図示および説明については省略する。
【００２９】
レンズカバー１０１は、撮像装置１００の正面側に設けられている各機器を覆うカバーである。レンズカバー１０１は、垂直方向に移動させることが可能であり、非撮像動作状態では、レンズカバー１０１を垂直方向の上側に移動させることにより、レンズ１０２およびＡＦイルミネータ１０３を覆うことができる。
【００３０】
レンズ１０２は、被写体からの光を集光するレンズ（ズームレンズおよびフォーカスレンズを含む）である。
【００３１】
ＡＦイルミネータ１０３は、ＡＦ補助光であり、セルフタイマランプとしても使用される。ＡＦイルミネータ１０３を用いることにより、暗い場所でもフォーカス（焦点：ピント）合わせを容易に行うことができる。
【００３２】
ズームレバー２０１は、ズーム操作（ＴＥＬＥ／ＷＩＤＥ）を実行する際に用いられる操作部材である。
【００３３】
シャッターボタン２０２は、静止画または動画の撮影を行う際に押下される操作部材である。
【００３４】
再生ボタン２０３は、記録されている静止画コンテンツまたは動画コンテンツを再生させる場合に押下される操作部材である。例えば、図１６に示す撮影エリア表示画面を表示させる場合には、ユーザが再生ボタン２０３を押下して再生モードを設定する。
【００３５】
パワーボタン２０４は、撮像装置１００の電源をオン／オフする場合に用いられる操作部材である。
【００３６】
入出力パネル２１０は、各種画像を表示するとともに、入出力パネル２１０における接触操作を検出することによりユーザからの操作入力を受け付けるものである。なお、入出力パネル２１０は、タッチスクリーンとも称される。
【００３７】
［撮像装置の内部構成例］
図２は、本発明の第１の実施の形態における撮像装置１００の内部構成例を示すブロック図である。撮像装置１００は、レンズ部１１０と、撮像素子１２０と、ＴＧ（Timing Generator）１２１と、アナログ信号処理部１３０と、Ａ／Ｄ（Analog/Digital）変換部１４０と、デジタル信号処理部１５０とを備える。また、撮像装置１００は、記録部１６０と、制御部１７０と、不揮発メモリ１８１と、ＲＯＭ（Read Only Memory）１８２と、ＲＡＭ（Random Access Memory）１８３とを備える。また、撮像装置１００は、モータドライバ１９０と、アクチュエータ１９１と、操作部２００と、入出力パネル２１０と、ＧＰＳ（Global Positioning System）信号処理部２２０とを備える。
【００３８】
レンズ部１１０は、焦点距離を連続的に変えるためのズームレンズ、フォーカスを調整するためのフォーカスレンズ、絞り等を備える光学系であり、被写体からの光を集光して撮像素子１２０に出力する。また、レンズ部１１０には、ズームレンズ、フォーカスレンズ等の移動や、絞りの調整等を行うためのアクチュエータ１９１が機械的に接続されている。
【００３９】
撮像素子１２０は、レンズ部１１０を介して入射された被写体からの光の光路上に配置されている撮像素子であり、ＴＧ１２１から供給されるタイミング信号に従って動作することにより、その入射された被写体像を結像して画像信号を生成する。すなわち、撮像素子１２０は、レンズ部１１０を介して入射された被写体からの光を受光して光電変換を行うことにより、光の受光量に応じた画像信号（アナログ信号）を生成し、生成された画像信号をアナログ信号処理部１３０に供給する。なお、撮像素子１２０として、例えば、ＣＣＤ（Charge Coupled Device）型やＣＭＯＳ（Complementary Metal Oxide Semiconductor）型等の固体撮像素子を用いることができる。
【００４０】
ＴＧ１２１は、制御部１７０の制御に基づいて、タイミング信号を撮像素子１２０に供給するタイミングジェネレータである。このタイミング信号により撮像素子１２０における露出時間等が制御される。
【００４１】
アナログ信号処理部１３０は、制御部１７０の制御に基づいて、撮像素子１２０から供給された画像信号（アナログ信号）について増幅等のアナログ信号処理を施すものであり、このアナログ信号処理が施された画像信号をＡ／Ｄ変換部１４０に供給する。
【００４２】
Ａ／Ｄ変換部１４０は、制御部１７０の制御に基づいて、アナログ信号処理部１３０から供給された画像信号（アナログ信号）をＡ／Ｄ変換するものであり、Ａ／Ｄ変換により得られる画像信号（デジタル信号）をデジタル信号処理部１５０に供給する。
【００４３】
デジタル信号処理部１５０は、制御部１７０の制御に基づいて、Ａ／Ｄ変換部１４０から供給された画像信号（デジタル信号）についてノイズ除去処理等のデジタル信号処理を施すものである。そして、デジタル信号処理部１５０は、デジタル信号処理が施された画像信号（画像データ）を入出力パネル２１０に供給する。このように、デジタル信号処理部１５０は、デジタル信号処理が施された画像信号を入出力パネル２１０に供給し、その画像信号に対応する画像（いわゆる、スルー画）を表示させる。また、デジタル信号処理部１５０は、制御部１７０の制御に基づいて、フォーカス制御に用いられるフォーカス枠（ＡＦ枠）の画像を生成し、入出力パネル２１０に供給して表示させる。
【００４４】
また、デジタル信号処理部１５０は、Ａ／Ｄ変換部１４０から供給された画像信号を所定の符号化方式により圧縮し、この圧縮された画像信号を、記録部１６０に供給して画像ファイルとして記録させる。この符号化方式として、例えば、ＪＰＥＧ（Joint Photographic Experts Group）方式を用いることができる。また、デジタル信号処理部１５０は、記録部１６０に記録されている圧縮された画像データを伸張し、この伸張された画像データを入出力パネル２１０に供給して表示させる。また、デジタル信号処理部１５０は、記録部１６０に記録されている画像データおよび情報を取得し、取得された画像データを制御部１７０に供給する。
【００４５】
記録部１６０は、デジタル信号処理部１５０から供給された画像信号を静止画ファイル（静止画コンテンツ）または動画ファイル（動画コンテンツ）として記録する記録デバイスである。また、記録部１６０は、デジタル信号処理部１５０から供給された各情報を記録する。また、記録部１６０は、記録されているファイルや各情報をデジタル信号処理部１５０に供給する。記録部１６０として、例えば、ＤＶＤ（Digital Versatile Disc）等のディスクやメモリカード等の半導体メモリ等のリムーバブルな記録媒体を用いることができる。また、記録部１６０は、撮像装置１００に内蔵するようにしてもよく、撮像装置１００から着脱可能とするようにしてもよい。
【００４６】
制御部１７０は、ＲＯＭ１８２に記録されているプログラムを実行することにより、撮像装置１００を構成する各部を制御するものである。また、制御部１７０は、タッチパネル２１２におけるユーザ操作または操作部２００から出力された操作信号に応じて各種の処理を行う。制御部１７０は、例えば、ＣＰＵ（Central Processing Unit）により実現される。なお、制御部１７０が行う制御については、図３を参照して詳細に説明する。
【００４７】
不揮発メモリ１８１は、撮像装置１００の電源がオフにされている状態でも保持しておく必要があるデータ（各種設定情報等）を記憶する不揮発メモリである。不揮発メモリ１８１として、例えば、ＥＥＰＲＯＭ（Electrically Erasable Programmable Read Only Memory）やフラッシュメモリを用いることができる。
【００４８】
ＲＯＭ１８２は、制御部１７０が実行するプログラムや、制御部１７０がプログラムを実行する上で必要なデータを記憶するメモリである。
【００４９】
ＲＡＭ１８３は、制御部１７０が各種の処理を行う上で必要なプログラムやデータを一時的に記憶するメモリであり、制御部１７０の実行プログラムのワークエリア等に利用される。
【００５０】
モータドライバ１９０は、制御部１７０の制御に基づいて、アクチュエータ１９１を駆動させるモータドライバである。
【００５１】
アクチュエータ１９１は、モータドライバ１９０の制御に基づいて駆動することによって、レンズ部１１０を構成する絞りの調整や、レンズ部１１０を構成するフォーカスレンズ等の移動を行うものである。
【００５２】
操作部２００は、ユーザによって操作された操作内容を受け付ける操作受付部であり、受け付けられた操作内容に応じた操作信号を制御部１７０に供給する。操作部２００は、例えば図１に示すズームレバー２０１、シャッターボタン２０２、再生ボタン２０３およびパワーボタン２０４に対応する。
【００５３】
入出力パネル２１０は、表示パネル２１１およびタッチパネル２１２を備える。表示パネル２１１は、デジタル信号処理部１５０から供給された画像信号に基づいて、その画像信号に対応する画像を表示する表示パネルである。例えば、撮像素子１２０により撮像された画像が入出力パネル２１０に表示される（いわゆる、スルー画の表示）。また、入出力パネル２１０には各種メニュー画面が表示される。表示パネル２１１として、例えば、ＬＣＤ（Liquid Crystal Display）、有機ＥＬ（Electro Luminescence）パネル等を用いることができる。
【００５４】
タッチパネル２１２は、表示パネル２１１の画面を透過するように表示パネル２１１に重ねて配置され、表示面に接触する物体を検出することによりユーザからの操作入力を受け付けるタッチパネルである。タッチパネル２１２は、表示パネル２１１に表示されている操作画面において、ユーザが指を触れる等して所望の位置を押下すると、この押下位置の座標を検出し、この検出された座標に対応する操作信号を制御部１７０に出力する。そして、制御部１７０は、その操作信号を取得すると、取得された操作信号に基づいて所定の処理を実行する。タッチパネル２１２として、例えば、専用の感知装置を用いて表示面における接触を電気信号に変換し、この変換された電気信号を制御部１７０に出力するタッチパネルを用いることができる。また、タッチパネル２１２として、例えば、表示面に近接または接触する物体を検出することが可能な光センサ方式のタッチパネルを用いるようにしてもよい。
【００５５】
ＧＰＳ信号処理部２２０は、ＧＰＳ信号受信アンテナ（図示せず）により受信されたＧＰＳ信号に基づいて位置情報を算出するものであり、算出された位置情報を制御部１７０に出力する。この算出された位置情報には、撮像時における緯度、経度、高度等の位置に関する各データが含まれる。なお、本発明の第１の実施の形態では、ＧＰＳ信号に基づいて算出された位置情報を用いる例を示すが、他の位置情報の取得方法により取得された位置情報を用いるようにしてもよい。例えば、周囲に存在する無線ＬＡＮ（Local Area Network）によるアクセスポイント情報を用いて位置情報を導き出し、この位置情報を取得して用いるようにしてもよい。
【００５６】
ここで、撮像装置１００を用いた撮像動作について説明する。例えば、図１に示すシャッターボタン２０２がユーザにより押下されると、操作部２００からレリーズ信号が制御部１７０に供給される。このレリーズ信号が制御部１７０に供給されると、制御部１７０は、デジタル信号処理部１５０を制御し、Ａ／Ｄ変換部１４０からデジタル信号処理部１５０に供給された画像信号を圧縮させ、この圧縮された画像信号を画像ファイルとして記録部１６０に記録させる。この画像ファイルの記録の際に、ＧＰＳ信号処理部２２０により算出された位置情報が画像ファイルに記録される。この画像ファイルについては、図４を参照して詳細に説明する。
【００５７】
［撮像装置の機能構成例］
図３は、本発明の第１の実施の形態における撮像装置１００の機能構成例を示すブロック図である。撮像装置１００は、コンテンツ記憶部１６１と、タイトル情報記憶部２３０と、撮影エリア配置情報記憶部２４０と、操作受付部３００と、地図情報記憶部３１１と、基準位置設定部３１２と、基準位置保持部３１３とを備える。また、撮像装置１００は、位置情報取得部３２０と、グループ設定部３３０と、方位算出部３４０と、撮影エリア分類部３５０と、撮影エリア配置決定部３６０と、表示制御部３７０と、表示部３８０と、タイトル書換部３９０とを備える。なお、基準位置設定部３１２、位置情報取得部３２０、グループ設定部３３０、方位算出部３４０、撮影エリア分類部３５０、撮影エリア配置決定部３６０、表示制御部３７０およびタイトル書換部３９０は、例えば図２に示す制御部１７０に対応する。
【００５８】
コンテンツ記憶部１６１は、画像ファイル等のコンテンツを記憶するものであり、記憶されているコンテンツを位置情報取得部３２０および表示制御部３７０に供給する。なお、コンテンツ記憶部１６１は、例えば図２に示す記録部１６０に対応する。
【００５９】
タイトル情報記憶部２３０は、グループ設定部３３０により設定された各撮影エリアの位置情報を、各撮影エリアに付す地名等の標識に変換するための変換情報を記憶するものである。ここで、撮影エリアは、コンテンツの撮影位置等に基づいて設定される所定範囲の領域である。撮影エリアについては、図９および図１０を参照して詳細に説明する。なお、タイトル情報記憶部２３０の記憶内容については、図５を参照して詳細に説明する。なお、タイトル情報記憶部２３０は、例えば図２に示す記録部１６０に対応する。
【００６０】
撮影エリア配置情報記憶部２４０は、撮影エリア配置決定部３６０により決定された撮影エリアの配置に関する撮影エリア配置情報を記憶するものであり、記憶されている撮影エリア配置情報を表示制御部３７０に供給する。なお、撮影エリア配置情報記憶部２４０の記憶内容については、図６を参照して詳細に説明する。なお、撮影エリア配置情報記憶部２４０は、例えば図２に示す記録部１６０に対応する。
【００６１】
操作受付部３００は、ユーザからの操作入力を受け付ける操作受付部であり、受け付けられた操作入力に応じた操作内容を基準位置設定部３１２、位置情報取得部３２０、表示制御部３７０およびタイトル書換部３９０に出力する。例えば、操作受付部３００は、撮影エリア配置情報を生成する指示操作が受け付けられた場合には、その操作内容を位置情報取得部３２０および表示制御部３７０に出力する。また、ユーザにより基準位置を指定する指定操作が受け付けられた場合には、その操作内容を基準位置設定部３１２に出力する。また、操作受付部３００は、基準位置または撮影エリアのタイトルを書き換える指示操作が受け付けられた場合には、その操作内容をタイトル書換部３９０に出力する。また、操作受付部３００は、撮影エリア表示画面を表示させる指示操作が受け付けられた場合には、その操作内容を表示制御部３７０に出力する。この撮影エリア表示画面は、撮影エリア配置情報記憶部２４０に記憶されている撮影エリア配置情報に基づいて表示される画面であり、例えば、図１６に示すように、方位毎に分類された撮影エリアを表す画像が並べて表示される。なお、操作受付部３００は、例えば図２に示す操作部２００およびタッチパネル２１２に対応する。
【００６２】
地図情報記憶部３１１は、表示部３８０に地図を表示するための地図データを記憶するものであり、記憶されている地図データを基準位置設定部３１２および表示制御部３７０に供給する。例えば、地図情報記憶部３１１に記憶されている地図データは、緯度および経度により特定されるデータであり、一定の緯度幅および経度幅を単位として、複数の領域に区切られている。なお、地図情報記憶部３１１は、例えば図２に示す記録部１６０に対応する。
【００６３】
基準位置設定部３１２は、操作受付部３００からの操作内容に応じて地図情報記憶部３１１から位置情報（例えば、緯度および経度）を取得して、ユーザにより指定された基準位置を設定するものである。そして、基準位置設定部３１２は、ユーザにより指定された基準位置を基準位置保持部３１３に保持させる。なお、基準位置の設定については、図８を参照して詳細に説明する。
【００６４】
基準位置保持部３１３は、基準位置設定部３１２により設定された基準位置を保持するものであり、保持されている基準位置をグループ設定部３３０および方位算出部３４０に供給する。なお、基準位置保持部３１３は、例えば図２に示すＲＡＭ１８３に対応する。
【００６５】
位置情報取得部３２０は、操作受付部３００からの操作内容に応じて、コンテンツ記憶部１６１に記憶されている各コンテンツを取得し、取得されたコンテンツから位置情報を取得するものであり、取得された位置情報をグループ設定部３３０に供給する。
【００６６】
グループ設定部３３０は、位置情報取得部３２０から供給された各コンテンツの位置情報に基づいて、各コンテンツを分類して複数の撮影エリアを設定するものである。すなわち、グループ設定部３３０は、各コンテンツの位置情報に基づいて各コンテンツが属する撮影エリアをコンテンツ毎に特定し、この特定された複数の撮影エリアに基づいて複数のグループを設定する。具体的には、グループ設定部３３０は、同一の撮影エリアに属する各コンテンツを同一グループとして設定する。このため、以下では、撮影エリアとグループとが対応するものとして説明する。そして、グループ設定部３３０は、設定された複数の撮影エリアに関する情報と、各撮影エリアに属するコンテンツに関する情報とを含む撮影エリア情報を方位算出部３４０に出力する。なお、基準位置保持部３１３に保持されている基準位置に基づいて、撮影エリアを変更する例については、本発明の第２の実施の形態で説明する。なお、撮影エリアの設定方法については、図９および図１０を参照して詳細に説明する。
【００６７】
方位算出部３４０は、基準位置保持部３１３に保持されている基準位置と、グループ設定部３３０から出力された撮影エリア情報とに基づいて、撮影エリア毎の方位を算出するものである。そして、方位算出部３４０は、算出された撮影エリア毎の方位と、撮影エリア情報とを撮影エリア分類部３５０に出力する。なお、撮影エリア毎の方位算出方法については、図１１を参照して詳細に説明する。
【００６８】
撮影エリア分類部３５０は、方位算出部３４０から出力された撮影エリア毎の方位に基づいて、各撮影エリアを特定方位（例えば、８方位）毎に分類するものであり、分類結果および撮影エリア情報を撮影エリア配置決定部３６０に出力する。なお、撮影エリアの方位毎の分類方法については、図１１および図１２を参照して詳細に説明する。また、撮影エリア分類部３５０は、特許請求の範囲に記載の分類部の一例である。
【００６９】
撮影エリア配置決定部３６０は、撮影エリア分類部３５０から出力された分類結果および撮影エリア情報に基づいて、設定された複数の撮影エリアに関する配置を決定するものである。そして、撮影エリア配置決定部３６０は、決定された撮影エリアの配置に関する撮影エリア配置情報を撮影エリア配置情報記憶部２４０に記憶させる。また、撮影エリア配置決定部３６０は、タイトル情報記憶部２３０に記憶されている変換情報を用いて、設定された各撮影エリアの位置情報を地名等の標識に変換し、この変換された標識を各撮影エリアに関連付けて記憶させる。すなわち、撮影エリアに対応するグループを表す標識がグループ毎に関連付けて記憶される。なお、撮影エリアの配置決定方法については、図１２および図１３を参照して詳細に説明する。また、撮影エリア配置決定部３６０は、特許請求の範囲に記載の配置決定部の一例である。
【００７０】
表示制御部３７０は、操作受付部３００からの操作内容に応じて、各種画像を表示部３８０に表示させるものである。例えば、表示制御部３７０は、操作受付部３００により撮影エリア配置情報を生成する指示操作が受け付けられた場合には、地図を表示させるための地図情報を地図情報記憶部３１１から取得し、その地図を表示部３８０に表示させる。また、表示制御部３７０は、撮影エリア表示画面を表示させる指示操作が受け付けられた場合には、撮影エリア配置情報記憶部２４０に記憶されている撮影エリア配置情報を取得し、これに基づいて撮影エリア表示画面を表示部３８０に表示させる。
【００７１】
表示部３８０は、表示制御部３７０の制御に基づいて、各種画像を表示する表示部である。表示部３８０は、例えば図２に示す表示パネル２１１に対応する。
【００７２】
タイトル書換部３９０は、操作受付部３００からの操作内容に応じて、撮影エリア配置情報記憶部２４０に記憶されている撮影エリア配置情報のうち、基準位置または撮影エリアのタイトルを書き換えるものである。なお、基準位置または撮影エリアのタイトルの書き換えについては、図１８を参照して詳細に説明する。
【００７３】
［画像ファイルの構成例］
図４は、本発明の第１の実施の形態におけるコンテンツ記憶部１６１に記憶される画像ファイルのファイル構造の一例を示す図である。図４に示す例では、ＤＣＦ（Design rule for Camera File system）規格により記録される静止画ファイルのファイル構造を概略的に示す。ＤＣＦは、デジタルスチルカメラやプリンタ等の機器間で、記録媒体を介して画像の相互利用を実現するためのファイルシステム規格である。また、ＤＣＦでは、Ｅｘｉｆ（Exchangeable image file format）をベースにして記録媒体に記録する場合におけるファイル名の付け方やフォルダの構成が規定されている。Ｅｘｉｆは、画像ファイルの中に画像データおよびカメラ情報を付加するための規格であり、画像ファイルを記録するための形式（ファイルフォーマット）を規定するものである。図４（ａ）には画像ファイル２５０の構成例を示し、図４（ｂ）には付属情報２５１の構成例を示す。
【００７４】
画像ファイル２５０は、ＤＣＦ規格により記録される静止画ファイルであり、図４（ａ）に示すように、付属情報２５１および画像情報２５４から構成されている。画像情報２５４は、例えば、撮像素子１２０により生成され、デジタル信号処理部１５０により解像度変換され、ＪＰＥＧ形式で圧縮された画像データである。
【００７５】
付属情報２５１は、図４（ｂ）に示すように、属性情報２５２およびメーカーノート（maker note）２５３から構成されている。属性情報２５２は、画像ファイル２５０に関する属性情報等であり、例えば、ＧＰＳ情報、撮影更新日時、画サイズ、色空間情報、メーカー名等が含まれる。ＧＰＳ情報には、例えば、緯度、経度等の位置情報（例えば、ＴＡＧＩＤ＝１０００００１乃至１０００００４）が含まれる。
【００７６】
メーカーノート２５３は、一般的にユーザ独自のデータが記録される領域であり、各メーカーが自由に情報を記録することができる拡張領域である（ＴＡＧＩＤ＝３７５００、MakerNote）。なお、メーカーノート２５３にＧＰＳ情報等の位置情報を記録するようにしてもよい。また、本発明の実施の形態では、画像ファイルに記録されている位置情報を用いる例を示すが、コンテンツを管理する管理ファイルに位置情報を記録しておき、この位置情報を用いるようにしてもよい。
【００７７】
［タイトル情報記憶部の記憶内容例］
図５は、本発明の第１の実施の形態におけるタイトル情報記憶部２３０の記憶内容を模式的に示す図である。タイトル情報記憶部２３０は、位置情報を場所等を表す標識（例えば、文字）に変換するための変換情報を記憶するものである。具体的に、タイトル情報記憶部２３０には、位置情報２３１と、撮影エリアタイトル２３２とが関連付けて記憶されている。
【００７８】
位置情報２３１には、撮影エリアタイトル２３２に格納されている標識に対応する場所を特定するためのデータが格納される。図５に示す例では、撮影エリアタイトル２３２に格納されている標識に対応する場所を、１箇所の位置（緯度および経度）により特定する例を示す。なお、図５では、位置情報２３１に格納されている緯度および経度の具体的な数値を省略して示す。
【００７９】
撮影エリアタイトル２３２には、グループ設定部３３０により設定される各撮影エリアに付与される場所等を表す標識のデータ（例えば、テキストデータやビットマップデータ）が格納される。図５に示す例では、場所等を表す標識として文字を例にして示す。グループ設定部３３０により設定される各撮影エリアに付される場所等の文字として、例えば、「○○ヒルズ」、「○○ランド」、「○○公園」等の観光地や遊園地等のランドマークの名称を用いることができる。また、他の文字として、例えば、「東京都港区○○丁目」等の行政区画に対応する地名を用いることができる。この行政区画の単位として、例えば、国単位、都道府県単位、区市町村単位とすることができる。
【００８０】
ここで、撮影エリア配置決定部３６０は、位置情報２３１に格納されている緯度および経度が、グループ設定部３３０により設定された各撮影エリアの何れかに含まれるかを判断する。そして、撮影エリア配置決定部３６０は、位置情報２３１に格納されている緯度および経度を含む撮影エリアについては、その緯度および経度に関連付けて撮影エリアタイトル２３２に格納されている文字を関連付けて記録する。また、撮影エリア配置決定部３６０は、１つの撮影エリアに、位置情報２３１に格納されている２以上の緯度および経度が含まれている場合には、何れかの緯度および経度に関連付けて撮影エリアタイトル２３２に格納されている文字を関連付けて記録する。この場合に、例えば、撮影エリアの中心位置に近い緯度および経度に関連付けて撮影エリアタイトル２３２に格納されている文字を付すようにしてもよい。また、２以上の緯度および経度に関連付けて撮影エリアタイトル２３２に格納されている各文字を関連付けて記録するようにしてもよい。
【００８１】
［撮影エリア配置情報記憶部の記憶内容例］
図６は、本発明の第１の実施の形態における撮影エリア配置情報記憶部２４０の記憶内容を模式的に示す図である。撮影エリア配置情報記憶部２４０には、撮影エリア配置決定部３６０により決定された撮影エリアの配置に関する撮影エリア配置情報が記憶される。具体的に、撮影エリア配置情報記憶部２４０には、基準位置識別情報２４１と、基準位置情報２４２と、基準位置タイトル２４３とが関連付けて記憶されている。また、撮影エリア配置情報記憶部２４０には、撮影エリア配置情報２４４と、撮影エリアサイズ２４５と、撮影エリア位置情報２４６と、撮影エリアタイトル２４７と、コンテンツリスト２４８とが関連付けて記憶されている。
【００８２】
基準位置識別情報２４１には、基準位置を識別するための識別情報が格納される。例えば、ユーザにより設定された順序で、識別情報「＃２００１」、「＃２００２」等が格納される。
【００８３】
基準位置情報２４２には、基準位置に関する位置情報（例えば、緯度および経度）が格納される。
【００８４】
基準位置タイトル２４３には、基準位置に付されたタイトルが格納される。例えば、ユーザにより入力された文字「家」が格納される。
【００８５】
撮影エリア配置情報２４４には、撮影エリア配置決定部３６０により決定された撮影エリアの配置に関する情報が格納される。具体的には、図７に示す撮影エリア配置構成テンプレート４００における各位置に関する情報（南１、北１等）が格納される。
【００８６】
撮影エリアサイズ２４５には、グループ設定部３３０により設定された撮影エリアのサイズが格納される。
【００８７】
撮影エリア位置情報２４６には、グループ設定部３３０により設定された撮影エリアの位置情報が格納される。例えば、各撮影エリアに属するコンテンツのうち、中心位置に対応するコンテンツの位置情報が、撮影エリアの位置情報として格納される。
【００８８】
撮影エリアタイトル２４７には、各撮影エリアに付されたタイトルが格納される。例えば、撮影エリア配置決定部３６０により、各撮影エリアの位置情報が地名等の標識に変換され、この変換された標識が、撮影エリアタイトルとして格納される。また、タイトル書換部３９０によりタイトルが書き換えられた場合には、書換後のタイトルが格納される。
【００８９】
コンテンツリスト２４８には、各撮影エリアに属するコンテンツを取得するための情報（例えば、コンテンツアドレス等）が格納される。なお、図６では、コンテンツリスト２４８として、「＃１０１１」、「＃１０１５」等を模式的に示す。
【００９０】
［撮影エリアの配置例］
図７は、本発明の第１の実施の形態における撮影エリア配置決定部３６０により保持されている撮影エリア配置構成テンプレート４００を模式的に示す図である。
【００９１】
撮影エリア配置構成テンプレート４００は、撮影エリア配置決定部３６０が撮影エリアの配置を決定する際に用いられるテンプレートである。また、撮影エリア配置構成テンプレート４００は、撮影エリア分類部３５０により８方位に分類された各撮影エリアを方位毎に一定の規則により並べて配置するためのものである。
【００９２】
撮影エリア配置構成テンプレート４００は、例えば、基準位置４０１を中心として、８方位に略放射状に撮影エリアを表す矩形を並べて配置するためのテンプレートである。図７では、各撮影エリアが配置される位置を示す矩形内には、各方位を示す文字（北、北東等）と、配列順序を示す数字とを示す。
【００９３】
撮影エリア配置決定部３６０は、撮影エリア分類部３５０により８方位に分類された各撮影エリアを方位毎に配置する。この場合に、撮影エリア配置決定部３６０は、例えば、１つの方位（例えば、北）に複数の撮影エリアが分類された場合には、基準位置から各撮影エリアまでの距離に基づいて配列順序を決定する。そして、撮影エリア配置決定部３６０は、決定された配列順序に従って、例えば、「北１」、「北２」、「北３」、「北４」、「北５」のように配置を決定する。また、このように決定された配置に関する情報が撮影エリア配置情報として、図６に示す撮影エリア配置情報記憶部２４０に記憶される。なお、撮影エリア配置構成テンプレート４００を用いた撮影エリアの配置の決定方法については、図１２および図１３を参照して詳細に説明する。
【００９４】
また、撮影エリア表示画面が入出力パネル２１０に表示される場合には、表示制御部３７０が、撮影エリア配置構成テンプレート４００の配置構成に従って、各撮影エリアを表示する。この表示例については、図１６等に示す。
【００９５】
［基準位置の設定例］
図８は、本発明の第１の実施の形態における入出力パネル２１０において基準位置を設定する設定方法の概略を示す図である。なお、図８に示す例では、説明の容易のため、撮像装置１００におけるシャッターボタン２０２および入出力パネル２１０以外の構成については図示を省略する。ここで、撮影エリア配置情報を生成する場合には、基準位置を設定する必要がある。また、入出力パネル２１０において基準位置を設定する場合には、例えば、入出力パネル２１０に表示されるメニュー画面（図示せず）において、撮影エリア配置情報を生成する指示操作を行う。この指示操作の際には、基準位置を設定すべき地域を指定する指定操作が行われる。例えば、図８に示すように、ユーザの家２６１を基準位置に設定する場合には、家２６１が存在する地域に相当する地図を含む基準位置設定画面２７０を入出力パネル２１０に表示させる操作入力が行われる。なお、基準位置設定画面２７０に含まれる地図を表示させるための地図情報は、ユーザからの指定操作に応じて、表示制御部３７０が地図情報記憶部３１１から取得する。また、撮像装置１００以外の地図情報記憶装置に地図情報を記憶させておき、インターネット等のネットワークを介してその地図情報記憶装置から地図情報を取得するようにしてもよい。また、基準位置を設定する場合には、撮像装置１００以外の他の装置（パーソナルコンピュータ等）において基準位置を設定し、この設定内容を撮像装置１００に転送して記憶させるようにしてもよい。
【００９６】
基準位置設定画面２７０には、ユーザにより指定された地域の地図が表示されるとともに、「決定」ボタン２７１と、「取消し」ボタン２７２と、「戻る」ボタン２７３と、矢印ボタン２７４乃至２７７とが表示される。また、住所表示領域２７８には、基準位置設定画面２７０に表示されている地域の住所が表示される。
【００９７】
「決定」ボタン２７１は、選択状態となっている基準位置を確定する場合に押下されるボタンである。「取消し」ボタン２７２は、選択状態となっている基準位置を取り消す場合に押下されるボタンである。「戻る」ボタン２７３は、入出力パネル２１０に表示されている基準位置設定画面２７０を所定の画面に戻す際に押下されるボタンである。例えば、複数の階層構造により各画面が遷移する場合において、「戻る」ボタン２７３が押下された場合には、入出力パネル２１０に表示されている基準位置設定画面２７０の１つ上の階層の画面が表示される。矢印ボタン２７４乃至２７７は、基準位置設定画面２７０に表示されている地図を上下左右の何れかに移動させる際に押下されるボタンである。
【００９８】
ここで、基準位置設定画面２７０において家２６１を基準位置に設定する場合について説明する。最初に、入出力パネル２１０に表示されている地図上において、家２６１を基準位置としてユーザが指定する。この指定方法として、例えば、入出力パネル２１０において、指定すべき位置をユーザが指で押下して指定する指定方法を用いることができる。このように、ユーザ操作により基準位置が指定された場合には、その指定された位置（家２６１）が選択状態であることがユーザに通知される。例えば、その指定された位置（家２６１）を点線の丸２６２で囲むことにより、その指定された位置（家２６１）が選択状態であることを通知する。
【００９９】
続いて、指定された位置（点線の丸２６２で囲まれた家２６１）を、基準位置として確定させる場合には、所望の位置（家２６１）が点線の丸２６２で囲まれた状態で、「決定」ボタン２７１をユーザが押下する。この押下により、基準位置設定部３１２が、点線の丸２６２で囲まれた位置を基準位置（例えば、指定された位置の緯度および経度）として基準位置保持部３１３に保持させる。ここで、指定された位置（点線の丸２６２で囲まれた家２６１）を取り消す場合には、既に指定された位置が点線の丸で囲まれた状態で、「取消し」ボタン２７２をユーザが押下する。この押下により点線の丸が消去され、新たに基準位置の指定を行うことができる。
【０１００】
なお、基準位置の指定方法として、例えば、住所の入力によって地図上の座標位置を指定し、この座標位置を用いて基準位置を指定するようにしてもよい。また、入出力パネル２１０に地図を表示させた状態でドラッグ操作を行うことにより、画面における所定位置（例えば、画面の中心位置）に基準位置を移動させて基準位置を指定するようにしてもよい。また、ＧＰＳ信号処理部２２０により算出された位置情報を用いて基準位置を指定するようにしてもよい。例えば、ＧＰＳ信号処理部２２０により算出された位置情報により特定される位置（例えば、ユーザの現在位置）を基準位置とすることができる。このＧＰＳによる位置情報を用いる指定方法は、ユーザ操作なしに基準位置を指定することができるため、例えば、撮像装置１００の初期設定とするようにしてもよい。
【０１０１】
［撮影エリアの設定例］
図９および図１０は、本発明の第１の実施の形態における撮影エリアの設定方法を模式的に示す図である。図９には、ユーザにより基準位置として設定された家４１０と、撮像装置１００を用いてユーザにより撮影されたコンテンツＡ乃至Ｚとの地図上における位置関係を模式的に示す。コンテンツＡ乃至Ｚは、コンテンツ記憶部１６１に記憶されているコンテンツである。図９では、コンテンツＡ乃至Ｚに関連付けられている位置情報により特定される位置に、コンテンツＡ乃至Ｚを白抜きの丸で配置して示すものとする。また、各丸内には、各コンテンツを表す符号（Ａ乃至Ｚ）を付す。なお、図９における方位は、地図記号４１１に示す。
【０１０２】
図１０には、図９に示すコンテンツＡ乃至ＺのうちのコンテンツＡ乃至Ｈのみを拡大して示す。また、図１０に示す例では、グループ設定部３３０によりコンテンツＡ（４２１）乃至Ｈ（４２８）の撮影エリアを設定する撮影エリア設定方法を示す。
【０１０３】
最初に、位置情報取得部３２０が、コンテンツ記憶部１６１に記憶されている各コンテンツを取得し、取得されたコンテンツから位置情報を取得する。続いて、グループ設定部３３０は、位置情報取得部３２０により取得された各コンテンツの位置情報に基づいて、撮影エリアを設定する。図１０に示す例では、コンテンツＡ（４２１）乃至Ｈ（４２８）の順序で決定処理が行われるものとする。
【０１０４】
例えば、グループ設定部３３０は、最初のコンテンツＡ（４２１）の位置情報に基づいて、コンテンツＡ（４２１）の位置を含む撮影エリアＥＡ（４３１）を設定する。撮影エリアＥＡ（４３１）は、例えば、最初のコンテンツＡ（４２１）の位置情報により特定される位置を中心位置とする円である。図１０では、例えば、撮影エリアＥＡ（４３１）の半径をＲ１とする。また、撮影エリアＥＡ（４３１）にはコンテンツＢ（４２２）およびＣ（４２３）が含まれるが、コンテンツＤ（４２４）乃至Ｈ（４２８）は含まれないものとする。なお、撮影エリアＥＡ（４３１）の半径Ｒ１は、例えば、５００ｍとすることができる。
【０１０５】
続いて、グループ設定部３３０が、次のコンテンツＢ（４２２）の位置情報に基づいて、撮影エリアＥＡ（４３１）に、コンテンツＢ（４２２）の位置が含まれるか否かを判断する。ここで、撮影エリアＥＡ（４３１）には、コンテンツＢ（４２２）の位置が含まれるため、グループ設定部３３０は、コンテンツＢ（４２２）が撮影エリアＥＡ（４３１）に属すると決定する。
【０１０６】
続いて、グループ設定部３３０が、次のコンテンツＣ（４２３）の位置情報に基づいて、撮影エリアＥＡ（４３１）に、コンテンツＣ（４２３）の位置が含まれるか否かを判断する。ここで、撮影エリアＥＡ（４３１）には、コンテンツＣ（４２３）の位置が含まれるため、グループ設定部３３０は、コンテンツＣ（４２３）が撮影エリアＥＡ（４３１）に属すると決定する。
【０１０７】
続いて、グループ設定部３３０が、次のコンテンツＤ（４２４）の位置情報に基づいて、撮影エリアＥＡ（４３１）に、コンテンツＤ（４２４）の位置が含まれるか否かを判断する。ここで、撮影エリアＥＡ（４３１）には、コンテンツＤ（４２４）の位置が含まれない。このため、グループ設定部３３０は、コンテンツＤ（４２４）の位置情報に基づいて、コンテンツＤ（４２４）の位置を含む新たな撮影エリアＥＢ（４３２）を設定する。撮影エリアＥＢ（４３２）は、撮影エリアＥＡ（４３１）と同様に、例えば、コンテンツＤ（４２４）の位置情報により特定される位置を中心位置とする円であり、半径をＲ１とする。また、撮影エリアＥＢ（４３２）にはコンテンツＥ（４２５）乃至Ｈ（４２８）が含まれるものとする。
【０１０８】
以下も同様に、グループ設定部３３０が、コンテンツＥ（４２５）乃至Ｈ（４２８）の位置情報に基づいて、撮影エリアＥＡ（４３１）またはＥＢ（４３２）に、コンテンツＥ（４２５）乃至Ｈ（４２８）の位置が含まれるか否かを順次判断する。ここで、コンテンツＥ（４２５）乃至Ｈ（４２８）は撮影エリアＥＢ（４３２）に含まれる。このため、図１０に示すように、コンテンツＡ（４２１）乃至Ｈ（４２８）を撮影エリアＥＡ（４３１）およびＢ（４３２）の何れかに分類することができる。ここで、２以上の撮影エリアに含まれるコンテンツが存在する場合には、例えば、各撮影エリアに対応する円の中心位置から最も近い撮影エリアに属すると判断することができる。または、１つのコンテンツが２以上の撮影エリアに属するようにしてもよい。また、図９に示すコンテンツＩ乃至Ｚについても同様に撮影エリアを設定することができる。
【０１０９】
［撮影エリアの方位算出例および方位に基づく分類例］
図１１および図１２は、本発明の第１の実施の形態における方位算出部３４０による撮影エリアの方位算出方法を模式的に示す図である。
【０１１０】
図１１（ａ）には、撮影エリアＥＡ（４３１）の方位を算出する場合における方位算出方法を模式的に示す。図１１（ａ）に示す例では、ユーザ操作により設定された基準位置（家４１０）の位置情報により特定される位置をＺ１（ｘ１，ｙ１）として示す。また、撮影エリアＥＡ（４３１）に属するコンテンツＡ乃至Ｃのうちの中心位置に対応するコンテンツＡ（４２１）の位置情報により特定される位置をＺ２（ｘ２，ｙ２）として示す。また、図１１（ａ）における方位を地図記号４１１により示す。
【０１１１】
最初に、方位算出部３４０が、基準位置（家４１０）の位置Ｚ１（ｘ１，ｙ１）と、撮影エリアＥＡ（４３１）の位置Ｚ２（ｘ２，ｙ２）とについて、緯度の差分値Ｌ１および経度の差分値Ｌ２を算出する。続いて、方位算出部３４０が、算出された緯度の差分値Ｌ１および経度の差分値Ｌ２に基づいて、北を０度（または、３６０度）とし、東を９０度とし、南を１８０度とし、西を２７０度とした場合における方位に対応する角度θ１を算出する。例えば、角度θ２は、次の三角関数の公式により求めることができる。
θ２＝ｔａｎ−１（Ｌ２／Ｌ１）
【０１１２】
このため、角度θ１は、次の式により求めることができる。
θ１＝３６０（度）−θ２
【０１１３】
なお、この角度を示す数値は、方位角と称されることもある。また、この例では、緯度および経度の差分値に基づいて方位を算出する例を示すが、緯度および経度を用いた他の方位算出方法により方位を算出するようにしてもよい。
【０１１４】
図１１（ｂ）には、図１１（ａ）に示す方位算出方法により算出された方位に基づいて、撮影エリアの方位を決定する決定方法を模式的に示す。図１１（ｂ）に示す例では、北を０度（３６０度）とし、東を９０度とし、南を１８０度とし、西を２７０度とした場合において、東、西、南、北、南西、北東等のように、４５度単位の方位の何れかに、撮影エリアの方位を決定する決定方法の例を示す。図１１（ｂ）では、４５度単位の方位を円４４０上に白丸（方位４４１乃至４４８）で表す。また、例えば、北の方位４４１を表す範囲をθ１０（３３７．５度＜θ１０≦２２．５度）とし、北西の方位４４８を表す範囲をθ１１（２９２．５度＜θ１１≦３３７．５度）とする。図１１（ａ）に示す例では、算出された角度θ１が北西の方位を表す範囲θ１１（２９２．５度＜θ１１≦３３７．５度）に含まれるものとする。この場合には、撮影エリア分類部３５０が、撮影エリアＥＡ（４３１）を北西の方位４４８に分類する。
【０１１５】
このように、グループ設定部３３０が、位置情報に基づいてコンテンツＡ乃至Ｚを複数の撮影エリアに分類し、撮影エリア分類部３５０が、複数の撮影エリアをさらに８方位に分類して各撮影エリアの方位を決定する。このように、決定されたコンテンツと、撮影エリアとの関係を図１２に示す。
【０１１６】
図１２には、コンテンツＡ乃至Ｚが複数の撮影エリアに分類され、この各撮影エリアが８方位に分類された場合における基準位置（家４１０）と、コンテンツＡ乃至Ｚとの地図上における関係を示す。図１２に示す例は、図９に示すコンテンツＡ乃至Ｚが複数の撮影エリアに分類され、この各撮影エリアが８方位に分類された例を示す。なお、図１２では、基準位置（家４１０）およびコンテンツＡ乃至Ｚの位置関係は、図９と同一である。また、図１２では、図１１（ｂ）に示す方位４４１乃至４４８と同一の符号を付して示す。
【０１１７】
なお、撮影エリアが複数の方位に跨って存在する場合には、例えば、撮影エリアの位置情報に基づいて、撮影エリアの中心位置が存在する方位を、撮影エリアの方位として決定することができる。
【０１１８】
図１２には、コンテンツＡ乃至Ｚが複数の撮影エリアに分類され、この各撮影エリアが８方位に分類された場合における基準位置（家４１０）と、コンテンツＡ乃至Ｚとの地図上における関係を示す。図１２に示す例は、図９に示すコンテンツＡ乃至Ｚが複数の撮影エリアに分類され、この各撮影エリアが８方位に分類された例を示す。なお、図１２では、基準位置（家４１０）およびコンテンツＡ乃至Ｚの位置関係は、図９と同一である。また、図１２では、図１１（ｂ）に示す方位４４１乃至４４８と同一の符号を付して示す。
【０１１９】
［撮影エリアの配置決定例］
図１２に示すように、南東の方位４４４には撮影エリアＥＦ（４３６）およびＥＧ（４３７）が分類され、北西の方位４４８には撮影エリアＥＡ（４３１）およびＥＢ（４３２）が分類されている。このように、同一の方位に複数の撮影エリアが分類されている場合には、基準位置からの距離に基づいて配置が決定される。
【０１２０】
例えば、北西の方位４４８に分類された撮影エリアＥＡ（４３１）およびＥＢ（４３２）の配置を決定する場合には、撮影エリア配置決定部３６０が、基準位置（家４１０）から撮影エリアＥＡ（４３１）およびＥＢ（４３２）までの距離を算出する。この例では、各撮影エリアに属するコンテンツのうち、中心位置に相当するコンテンツの位置を基準として距離を算出する例を示す。
【０１２１】
例えば、基準位置（家４１０）を中心位置とし、撮影エリアＥＡ（４３１）の中心位置に相当するコンテンツＡ（４２１）を通る円を点線の円４５１で示す。また、基準位置（家４１０）を中心位置とし、撮影エリアＥＢ（４３２）の中心位置に相当するコンテンツＤ（４２４）を通る円を点線の円４５２で示す。この場合に、基準位置（家４１０）から撮影エリアＥＡ（４３１）までの距離は、距離Ｌ１１であり、基準位置（家４１０）から撮影エリアＥＢ（４３２）までの距離は、距離Ｌ１２である。ここで、Ｌ１２＜Ｌ１１であるため、撮影エリアＥＢ（４３２）が撮影エリアＥＡ（４３１）よりも基準位置（家４１０）に近いと判断される。このため、北西の方位４４８について配置を決定する場合には、撮影エリアＥＢ（４３２）→撮影エリアＥＡ（４３１）の順序で配置が決定される。また、同様に、南東の方位４４４に分類された撮影エリアＥＦ（４３６）およびＥＧ（４３７）についても、各撮影エリアの距離が算出され、撮影エリアＥＦ（４３６）が撮影エリアＥＧ（４３７）よりも基準位置（家４１０）に近いと判断される。このため、南東の方位４４４について配置を決定する場合には、撮影エリアＥＦ（４３６）→撮影エリアＥＧ（４３７）の順序で配置が決定される。
【０１２２】
図１３は、本発明の第１の実施の形態における撮影エリア配置決定部３６０による撮影エリアの配置決定方法を模式的に示す図である。図１３に示す例は、図１２に示すように、撮影エリアＥＡ（４３１）乃至ＥＧ（４３７）が８方位に分類された場合における配置例を示す。
【０１２３】
撮影エリア配置決定部３６０は、８方位に分類された撮影エリアＥＡ（４３１）乃至ＥＧ（４３７）について、図７に示す撮影エリア配置構成テンプレート４００に基づいて、配置を決定する。また、同一の方位に複数の撮影エリアが分類されている場合には、上述したように、基準位置（家４１０）からの距離に基づいて配置が決定される。すなわち、北西の方位については、図７に示す北西１の位置に撮影エリアＥＢ（４３２）が配置され、図７に示す北西２の位置に撮影エリアＥＡ（４３１）が配置される。また、同様に、南東の方位については、図７に示す南東１の位置に撮影エリアＥＦ（４３６）が配置され、図７に示す南東２の位置に撮影エリアＥＧ（４３７）が配置される。なお、図１３に示す撮影エリアＥＡ（４３１）乃至Ｇ（４３７）には、図１２に示す符号と同一の符号を付す。
【０１２４】
［各撮影エリアの表示例］
図１４は、本発明の第１の実施の形態における撮像装置１００を用いて撮影が行われた場所を概略的に示す図である。図１４（ａ）には日本列島を示し、図１４（ｂ）には東京２３区を示す。
【０１２５】
図１４（ａ）には、日本（東京２３区を除く）において、撮像装置１００を用いて撮影が行われた場所４６１乃至４６７を円で示す。また、ユーザにより指定された基準位置（家４６０）についても円で示す。ここで、基準位置（家４６０）は、例えば、埼玉県内のさいたま市△△町２丁目であるものとする。また、場所４６１乃至４６７のそれぞれにおいて撮影されたコンテンツは、グループ設定部３３０により各場所について同一の撮影エリアに分類されるものとする。また、日光４６１、山形城跡４６２、秋田□□パーク４６３、岩手▽▽ランド４６４および札幌芸術の森４６５に対応する撮影エリアは、撮影エリア分類部３５０により北東の方位に分類されるものとする。また、北東の方位における各撮影エリアは、撮影エリア配置決定部３６０により、日光４６１、山形城跡４６２、秋田□□パーク４６３、岩手▽▽ランド４６４、札幌芸術の森４６５の順序で配置が決定されるものとする。一方、伊豆４６６、那覇４６７に対応する各撮影エリアは、撮影エリア分類部３５０により南西の方位に分類され、撮影エリア配置決定部３６０により、伊豆４６６、那覇４６７の順序で配置が決定されるものとする。また、図１４（ａ）に示す各名称が撮影エリアタイトルとして各撮影エリアに付されるものとする。
【０１２６】
図１４（ｂ）には、東京２３区において、撮像装置１００を用いて撮影が行われた場所４６８乃至４７４を円で示す。ここで、後楽園４６８、浅草寺４６９、都庁４７０、皇居４７１、明治神宮４７２、夢の島４７３および羽田空港４７４のそれぞれにおいて撮影されたコンテンツは、グループ設定部３３０により各場所について同一の撮影エリアに分類されるものとする。また、後楽園４６８、浅草寺４６９、都庁４７０、皇居４７１、明治神宮４７２、夢の島４７３および羽田空港４７４に対応する撮影エリアは、撮影エリア分類部３５０により、南の方位に分類されるものとする。また、各撮影エリアは、撮影エリア配置決定部３６０により、後楽園４６８、浅草寺４６９、都庁４７０、皇居４７１、明治神宮４７２、夢の島４７３、羽田空港４７４の順序で配置が決定されるものとする。また、図１４（ｂ）に示す名称が撮影エリアタイトルとして各撮影エリアに付されるものとする。
【０１２７】
なお、図１４（ａ）および（ｂ）において、撮像装置１００を用いて撮影が行われた場所、および、ユーザにより指定された基準位置を表す円は、各位置を概略的に示すものであり、グループ設定部３３０により設定される撮影エリアのサイズとは異なる。
【０１２８】
図１５は、本発明の第１の実施の形態における入出力パネル２１０に撮影エリア表示画面を表示させるための操作画面の一例（操作画面５００）を示す図である。ここで、図６に示すように、撮影エリア配置情報記憶部２４０には、複数の基準位置に関する撮影エリア配置情報を記憶することができる。このため、操作画面５００には、図６に示す撮影エリア配置情報記憶部２４０に記憶されている１または複数の基準位置を選択するための基準位置選択ボタン５０１乃至５０３が表示される。また、操作画面５００には、「決定」ボタン５０４および「戻る」ボタン５０５が表示される。なお、基準位置選択ボタン５０１は、図１４に示す家４６０に対応するものとする。
【０１２９】
「決定」ボタン５０４は、選択状態となっている基準位置選択ボタンを確定する場合に押下されるボタンである。「戻る」ボタン５０５は、入出力パネル２１０に表示されている操作画面５００を所定の画面に戻す際に押下されるボタンである。
【０１３０】
入出力パネル２１０に撮影エリア表示画面を表示させる場合には、例えば、入出力パネル２１０に表示されるメニュー画面（図示せず）において、図１５に示す操作画面５００を表示させる指示操作を行う。続いて、操作画面５００において、基準位置選択ボタン５０１乃至５０３のうちからユーザが所望の基準位置選択ボタンを押下する。例えば、操作画面５００において、基準位置選択ボタン５０１が押下され、「決定」ボタン５０４が押下されたものとする。この場合には、図１４に示す各場所４６０乃至４７４に関する撮影エリア表示画面が表示される。この表示例を図１６に示す。
【０１３１】
図１６は、本発明の第１の実施の形態における入出力パネル２１０に表示される撮影エリア表示画面の一例（撮影エリア表示画面５１０）を示す図である。図１６に示す表示例は、図１４に示す各場所４６０乃至４７４について生成された撮影エリア配置情報に基づいて表示されるものである。すなわち、撮影エリア配置情報記憶部２４０に記憶されている撮影エリア配置情報（図１４に示す各場所４６０乃至４７４に関する撮影エリア配置情報）に基づいて、表示制御部３７０が撮影エリア表示画面５１０を表示させる。
【０１３２】
撮影エリア表示画面５１０には、基準位置および撮影エリア群５１１と、「タイトル変更」ボタン５１２と、「戻る」ボタン５１３とが表示される。「タイトル変更」ボタン５１２は、基準位置および撮影エリア群５１１を構成する基準位置または各撮影エリアのタイトルを変更する場合に押下されるボタンである。「戻る」ボタン５１３は、入出力パネル２１０に表示されている撮影エリア表示画面５１０を操作画面５００に戻す際に押下されるボタンである。
【０１３３】
基準位置および撮影エリア群５１１は、図７に示す撮影エリア配置構成テンプレート４００に基づいて、撮影エリア配置決定部３６０により決定された配置に基づいて表示される。ここで、図７に示す撮影エリア配置構成テンプレート４００を構成する各矩形のうち、撮影エリアが配置されなかった矩形の領域については、何も表示されない。また、撮影エリア表示画面５１０において、８方位毎に異なる態様で各撮影エリアが表示される。例えば、８方位毎に異なる色を付して表示させることができる。なお、図１６に示す例では、８方位毎に異なる斜線を付して表示させる例を示す。
【０１３４】
例えば、撮影エリア表示画面５１０に表示されている撮影エリアのうち、所望の撮影エリアに属するコンテンツを表示させる場合には、ユーザが所望の撮影エリアを押下する押下操作を行う。例えば、伊豆４６６に属するコンテンツを表示させる場合には、ユーザが伊豆４６６の部分を押下する押下操作を行う。この押下操作により、伊豆４６６に属するコンテンツを表示させることができる。この表示例については、図１７に示す。
【０１３５】
また、撮影エリア表示画面５１０に表示されている基準位置または撮影エリアのタイトルを変更する場合には、「タイトル変更」ボタン５１２を押下した後に、ユーザがタイトルを変更する基準位置または撮影エリアを押下する押下操作を行う。例えば、後楽園４６８のタイトルを変更する場合には、ユーザが「タイトル変更」ボタン５１２を押下した後に、後楽園４６８の部分を押下する押下操作を行う。この押下操作により、後楽園４６８のタイトルを変更するためのタイトル変更画面を表示させることができる。この表示例については、図１８に示す。
【０１３６】
図１７は、本発明の第１の実施の形態における入出力パネル２１０に表示されるユーザにより選択された撮影エリアに属するコンテンツの一覧を表示するコンテンツ一覧画面の一例（コンテンツ一覧画面５２０）を示す図である。コンテンツ一覧画面５２０には、コンテンツ表示領域５２１と、スクロールバー５２２と、上下キー５２３、５２４と、「決定」ボタン５２５と、「戻る」ボタン５２６とが表示される。
【０１３７】
コンテンツ表示領域５２１には、撮影エリア「伊豆」に属するコンテンツを表す画像５３１乃至５３８が表示される。このコンテンツを表す画像５３１乃至５３８は、図６に示す撮影エリア配置情報記憶部２４０のコンテンツリスト２４８に基づいて、表示制御部３７０が、コンテンツ記憶部１６１から各コンテンツを取得して表示させる。ここで、コンテンツが静止画コンテンツである場合には、そのサムネイル画像を表示させることができる。また、コンテンツが動画コンテンツである場合には、代表フレーム（例えば、先頭フレーム）のサムネイル画像を表示させることができる。これらのサムネイル画像は、各撮影エリアに関連付けて撮影エリア配置情報記憶部２４０に記憶しておくようにしてもよい。
【０１３８】
スクロールバー５２２、上下キー５２３、５２４は、コンテンツ表示領域５２１に表示されている画像を上下方向に移動させて他の画像を表示させるスクロール操作を行う際に用いられるものである。「決定」ボタン５２５は、選択状態となっている画像の再生を確定する場合に押下されるボタンである。「戻る」ボタン５２６は、入出力パネル２１０に表示されているコンテンツ一覧画面５２０を撮影エリア表示画面５１０に戻す際に押下されるボタンである。なお、この例では、「決定」ボタン５２５の押下により、選択状態となっている画像の再生を確定させる例を示す。しかしながら、例えば、コンテンツ一覧画面に表示されている複数の画像のうち、所望の画像を選択する選択操作（例えば、ユーザによるタッチ操作または十字キー操作）のみにより、画像の再生を確定させるようにしてもよい。これらの画像再生の確定方法をユーザ操作により変更可能とするようにしてもよい。
【０１３９】
［撮影エリアのタイトル変更例］
図１８は、本発明の第１の実施の形態における入出力パネル２１０に表示される撮影エリアタイトル変更画面の一例（撮影エリアタイトル変更画面５４０）を示す図である。この例では、図１６に示す撮影エリア表示画面５１０において、後楽園４６８のタイトルを変更する変更操作が行われた場合を例にして示す。
【０１４０】
撮影エリアタイトル変更画面５４０には、旧タイトル表示領域５４１と、新しいタイトル表示領域５４２と、「決定」ボタン５４３と、「戻る」ボタン５４４とが表示される。
【０１４１】
旧タイトル表示領域５４１には、変更対象となる基準位置または撮影エリアに付されているタイトルが表示される。
【０１４２】
新しいタイトル表示領域５４２には、ユーザ操作により入力された新たなタイトルが表示される。この新たなタイトルの入力については、例えば、撮影エリアタイトル変更画面５４０に文字入力ボタン（図示せず）を設け、この文字入力ボタンを用いて入力することができる。また、撮像装置１００の他の操作部材を用いて入力するようにしてもよい。
【０１４３】
「決定」ボタン５４３は、ユーザ操作により入力された新たなタイトルを確定する場合に押下されるボタンである。「戻る」ボタン５４４は、入出力パネル２１０に表示されている撮影エリアタイトル変更画面５４０を撮影エリア表示画面５１０に戻す際に押下されるボタンである。
【０１４４】
このように、新しいタイトル表示領域５４２に、ユーザ操作により新たなタイトルが入力され、「決定」ボタン５４３が押下された場合には、タイトル書換部３９０が、撮影エリア配置情報記憶部２４０の撮影エリアタイトル２４７の内容を書き換える。例えば、後楽園４６８のタイトルが「後楽園」から「○○さんと一緒にご飯」に書き換えられる。また、この書換えが行われた後に表示される撮影エリア表示画面５１０では、後楽園４６８に対応する矩形内が「○○さんと一緒にご飯」に変更されて表示される。
【０１４５】
ここで、例えば、東北地方、北海道、沖縄等は比較的離れているため、これらの各地において撮影された各コンテンツを表す画像を地図上の位置に対応させて表示させる場合には、ズームアウト操作を行い、所望の場所を探すことになる。一方、例えば、東京２３区は比較的狭い範囲であるため、これらの各地において撮影された各コンテンツを表す画像を地図上の位置に対応させて表示させる場合には、ズームイン操作を行い、所望の場所を探すことになる。このため、東北地方、北海道、沖縄等と、東京２３区とにおいて撮影された各コンテンツを表す画像を地図上の位置に対応させて表示させる場合には、ズームインまたはズームアウト操作を行い、所望の場所を探すことが考えられる。しかしながら、このように、所望の場所を探す場合には、ズームインまたはズームアウト操作を行う必要があり、所望のコンテンツを探すという行為に集中できないおそれがある。
【０１４６】
これに対して、本発明の第１の実施の形態によれば、東北地方、北海道、沖縄等、東京２３区において撮影された各コンテンツに対応する撮影エリアを同一の画面内に表示させることができる。これにより、ズーム操作等を行わなくても、ユーザが直感的に所望の場所を容易に探すことができる。また、このように撮影エリアを表示させた場合でも、基準位置からの方位と、方位毎の距離の遠近関係は正しいため、地図の探し易さを残しつつ、所望のコンテンツを探すことができる。ここで、方位毎の距離の遠近関係は、方位毎に、近いものは近くに配置し、遠いものは遠くに配置することを意味する。
【０１４７】
このように、基準位置からの距離が比較的近い場所や比較的離れている場所が混在しているコンテンツであっても、基準位置からの方位を考慮して同一画面に表示させることができるため、一覧性が高いユーザインターフェースを提供することができる。また、同一の画面内において、上下左右へ視点を移動させることにより、所望の場所の撮影エリアを容易に探すことができるため、各地で生成されたコンテンツを容易に把握することができる。
【０１４８】
［撮像装置の動作例］
図１９は、本発明の第１の実施の形態における撮像装置１００による撮影エリア配置情報生成処理の処理手順を示すフローチャートである。
【０１４９】
最初に、ユーザにより撮影エリア配置情報を生成する指示操作が行われたか否かが判断される（ステップＳ９０１）。撮影エリア配置情報を生成する指示操作が行われていない場合には、監視を継続する。一方、撮影エリア配置情報を生成する指示操作が行われた場合には（ステップＳ９０１）、表示制御部３７０が、基準位置を設定するための基準位置設定画面を表示部３８０に表示させる（ステップＳ９０２）。例えば、図８に示す基準位置設定画面２７０が表示される。
【０１５０】
続いて、基準位置設定画面において、基準位置の入力操作が行われたか否かが判断される（ステップＳ９０３）。基準位置の入力操作が行われていない場合には（ステップＳ９０３）、監視を継続する。一方、基準位置の入力操作が行われた場合には（ステップＳ９０３）、グループ設定処理が行われる（ステップＳ９１０）。なお、基準位置の入力操作が行われた場合には、基準位置設定部３１２が、入力操作に対応する基準位置を基準位置保持部３１３に保持させる。また、グループ設定処理については、図２０を参照して詳細に説明する。なお、ステップＳ９１０は、特許請求の範囲に記載のグループ設定手順の一例である。続いて、撮影エリア配置決定処理が行われる（ステップＳ９３０）。この撮影エリア配置決定処理については、図２１を参照して詳細に説明する。
【０１５１】
続いて、撮影エリア配置決定部３６０が、決定された撮影エリアの配置に関する撮影エリア配置情報を撮影エリア配置情報記憶部２４０に記憶させ（ステップＳ９０４）、撮影エリア配置情報生成処理の動作を終了する。
【０１５２】
なお、この例では、ユーザ操作により撮影エリア配置情報を生成する指示操作が行われた場合に、コンテンツ記憶部１６１に記憶されている全てのコンテンツについて、撮影エリアの配置を決定する例を示した。しかしながら、例えば、撮像装置１００により撮影が行われる毎に撮影エリアの配置を順次決定するようにしてもよい。また、１日単位で撮影エリアの配置を決定して、１日毎の撮影エリアを設定するようにしてもよい。
【０１５３】
図２０は、本発明の第１の実施の形態における撮像装置１００による撮影エリア配置情報生成処理の処理手順のうちのグループ設定処理（図１９に示すステップＳ９１０の処理手順）を示すフローチャートである。
【０１５４】
最初に、位置情報取得部３２０が、コンテンツ記憶部１６１に記憶されている各コンテンツを取得し、取得されたコンテンツから位置情報を取得する（ステップＳ９１１）。続いて、グループ設定部３３０が、各コンテンツの位置情報のうち、１つの位置情報を取得する（ステップＳ９１２）。そして、取得された１つの位置情報が、最初の位置情報であるか否かが判断される（ステップＳ９１３）。取得された１つの位置情報が、最初の位置情報である場合には（ステップＳ９１３）、グループ設定部３３０が、その位置情報に基づいて撮影エリアを設定する（ステップＳ９１４）。続いて、グループ設定部３３０が、設定された撮影エリアに、その位置情報に対応するコンテンツを分類する（ステップＳ９１５）。
【０１５５】
続いて、各コンテンツのうち、全てのコンテンツについて撮影エリアへの分類が終了したかが判断される（ステップＳ９１６）。全てのコンテンツについて撮影エリアへの分類が終了した場合には（ステップＳ９１６）、グループ設定処理の動作を終了する。一方、全てのコンテンツについて撮影エリアへの分類が終了していない場合には（ステップＳ９１６）、ステップＳ９１２に戻る。
【０１５６】
また、取得された１つの位置情報が、最初の位置情報でない場合には（ステップＳ９１３）、その位置情報により特定される位置が既に設定されている撮影エリアに含まれるか否かが判断される（ステップＳ９１７）。その位置情報により特定される位置が既に設定されている撮影エリアに含まれる場合には（ステップＳ９１７）、グループ設定部３３０が、その撮影エリアに、その位置情報に対応するコンテンツを分類し（ステップＳ９１８）、ステップＳ９１６に進む。一方、その位置情報により特定される位置が既に設定されている撮影エリアに含まれない場合には（ステップＳ９１７）、グループ設定部３３０が、その位置情報に基づいて新たな撮影エリアを設定する（ステップＳ９１９）。続いて、グループ設定部３３０が、新たに設定された撮影エリアに、その位置情報に対応するコンテンツを分類し（ステップＳ９２０）、ステップＳ９１６に進む。
【０１５７】
図２１は、本発明の第１の実施の形態における撮像装置１００による撮影エリア配置情報生成処理の処理手順のうちの撮影エリア配置決定処理（図１９に示すステップＳ９３０の処理手順）を示すフローチャートである。
【０１５８】
最初に、１つの撮影エリアが取得される（ステップＳ９３１）。続いて、方位算出部３４０が、基準位置保持部３１３に保持されている基準位置と、その撮影エリアの位置とに基づいて、撮影エリアの方位を算出する（ステップＳ９３２）。なお、ステップＳ９３２は、特許請求の範囲に記載の方位算出手順の一例である。続いて、撮影エリア分類部３５０が、算出された方位に基づいて、撮影エリアを方位毎に分類する（ステップＳ９３３）。なお、ステップＳ９３３は、特許請求の範囲に記載の分類手順の一例である。
【０１５９】
続いて、取得された１つの撮影エリアが、最初の撮影エリアであるか否かが判断される（ステップＳ９３４）。取得された１つの撮影エリアが、最初の撮影エリアである場合には（ステップＳ９３４）、撮影エリア配置決定部３６０が、分類された方位の最初の位置に、その撮影エリアを配置する（ステップＳ９３５）。すなわち、図７に示す撮影エリア配置構成テンプレート４００において、方位の最初の位置（例えば、分類された方位が「北」である場合には「北１」）に配置される。
【０１６０】
続いて、各撮影エリアのうち、全ての撮影エリアの配置が決定されたか否かが判断される（ステップＳ９３６）。全ての撮影エリアの配置が決定された場合には（ステップＳ９３６）、撮影エリア配置決定処理の動作を終了する。一方、全ての撮影エリアの配置が決定されていない場合には（ステップＳ９３６）、ステップＳ９３１に戻る。
【０１６１】
また、取得された１つの撮影エリアが、最初の撮影エリアでない場合には（ステップＳ９３４）、分類された方位に、他の撮影エリアが配置されているか否かが判断される（ステップＳ９３７）。分類された方位に、他の撮影エリアが配置されていない場合には（ステップＳ９３７）、ステップＳ９３５に進む。一方、分類された方位に、他の撮影エリアが配置されている場合には（ステップＳ９３７）、撮影エリア配置決定部３６０が、基準位置から、現在の撮影エリアまでの距離を算出する（ステップＳ９３８）。
【０１６２】
続いて、算出された距離が、分類された方位に配置されている他の撮影エリアの距離を越えているか否かが判断される（ステップＳ９３９）。算出された距離が、他の撮影エリアの距離を越えていない場合には、撮影エリア配置決定部３６０が、分類された方位において、算出された距離に応じた位置に、取得された１つの撮影エリアを配置し（ステップＳ９４０）、ステップＳ９３６に進む。一方、算出された距離が、他の撮影エリアの距離を越えている場合には、撮影エリア配置決定部３６０が、分類された方位において、最も遠い位置に、取得された１つの撮影エリアを配置し（ステップＳ９４１）、ステップＳ９３６に進む。すなわち、分類された方位において、最も遠い位置に配置されている他の撮影エリアの次の位置に配置される。
【０１６３】
図２２は、本発明の第１の実施の形態における撮像装置１００によるコンテンツ再生処理の処理手順を示すフローチャートである。
【０１６４】
最初に、ユーザにより撮影エリア表示画面を表示する指示操作が行われたか否かが判断される（ステップＳ９５１）。例えば、図１５に示す操作画面５００において、基準位置選択ボタン５０１乃至５０３のうちの１つの基準位置選択ボタンが押下され、「決定」ボタン５０４が押下されることにより指示操作が行われる。撮影エリア表示画面を表示する指示操作が行われていない場合には（ステップＳ９５１）、監視を継続する。一方、撮影エリア表示画面を表示する指示操作が行われた場合には（ステップＳ９５１）、表示制御部３７０が、撮影エリア配置情報記憶部２４０から、指示操作に係る基準位置に関する撮影エリア配置情報を取得する（ステップＳ９５２）。続いて、表示制御部３７０が、取得された撮影エリア配置情報に基づいて、撮影エリア表示画面を表示させる（ステップＳ９５３）。例えば、図１６に示す撮影エリア表示画面５１０が表示される。なお、ステップＳ９５３は、特許請求の範囲に記載の表示制御手順の一例である。
【０１６５】
続いて、撮影エリア表示画面において、撮影エリアの選択操作が行われたか否かが判断される（ステップＳ９５４）。撮影エリアの選択操作が行われた場合には（ステップＳ９５４）、表示制御部３７０が、撮影エリア配置情報記憶部２４０のコンテンツリスト２４８に基づいて、コンテンツ記憶部１６１から各コンテンツを取得する（ステップＳ９５５）。続いて、表示制御部３７０が、取得された各コンテンツに基づいて、各コンテンツの一覧を表示部３８０に表示させる（ステップＳ９５６）。例えば、各コンテンツのサムネイル画像が一覧表示される。
【０１６６】
続いて、一覧表示されているコンテンツの何れかについて、再生指示操作が行われたか否かが判断される（ステップＳ９５７）。再生指示操作が行われた場合には（ステップＳ９５７）、表示制御部３７０が、再生指示操作に係るコンテンツの再生処理を行い（ステップＳ９５８）、コンテンツ再生処理の動作を終了する。一方、再生指示操作が行われていない場合には（ステップＳ９５７）、撮影エリア表示画面に戻る指示操作が行われたか否かが判断される（ステップＳ９５９）。戻る指示操作が行われていない場合には（ステップＳ９５９）、ステップＳ９５７に戻り、戻る指示操作が行われた場合には、ステップＳ９５３に戻る。
【０１６７】
また、撮影エリア表示画面において、撮影エリアの選択操作が行われていない場合には（ステップＳ９５４）、撮影エリアのタイトル変更の指示操作が行われたか否かが判断される（ステップＳ９６０）。撮影エリアのタイトル変更の指示操作が行われていない場合には（ステップＳ９６０）、ステップＳ９６２に進む。一方、撮影エリアのタイトル変更の指示操作が行われた場合には（ステップＳ９６０）、タイトル書換部３９０が、撮影エリアのタイトル書換処理を行う（ステップＳ９６１）。
【０１６８】
続いて、ユーザにより撮影エリア表示画面を消去する指示操作が行われたか否かが判断される（ステップＳ９６２）。撮影エリア表示画面を消去する指示操作が行われた場合には（ステップＳ９６２）、表示制御部３７０が、撮影エリア表示画面を消去して（ステップＳ９６３）、コンテンツ再生処理の動作を終了する。一方、撮影エリア表示画面を消去する指示操作が行われていない場合には（ステップＳ９６２）、ステップＳ９５４に戻る。
【０１６９】
［撮影エリアの配置決定の変形例］
以上では、同一の方位に複数の撮影エリアが分類されている場合には、基準位置からの相対的な位置関係に基づいて配置を決定する例について説明した。しかしながら、例えば、一定以上遠方に存在する撮影エリアについては、その遠さをユーザが直感的に把握することも重要であると考えられる。そこで、以下では、同一の方位に複数の撮影エリアが分類されている場合において、隣接する撮影エリア間における距離が一定以上離れている場合には、その間を詰めずにあけて配置する例を示す。
【０１７０】
図２３は、本発明の第１の実施の形態における入出力パネル２１０に表示される撮影エリア表示画面の一例（撮影エリア表示画面５５０）を示す図である。図２３に示す表示例は、図１６の変形例であり、隣接する撮影エリア間における距離が一定以上離れている撮影エリア（札幌芸術の森４６５および那覇４６７）について、その間を詰めずにあけて配置する例を示す。この例では、隣接する撮影エリア間における距離が３００ｋｍ以上離れている場合に、その間を詰めずにあけて配置する例を示す。また、隣接する撮影エリア間における距離に応じて、あける量を変更する。例えば、離れている距離が、３００ｋｍから４００ｋｍの範囲内である場合には、図７に示す撮影エリア配置構成テンプレート４００を構成する各矩形のうち、１つの矩形をあけて配置する。また、例えば、離れている距離が、４００ｋｍから１０００ｋｍの範囲内である場合には、図７に示す撮影エリア配置構成テンプレート４００を構成する各矩形のうち、３つの矩形をあけて配置する。また、例えば、離れている距離が、１０００ｋｍ以上である場合には、図７に示す撮影エリア配置構成テンプレート４００を構成する各矩形のうち、５つの矩形をあけて配置する。
【０１７１】
例えば、日光４６１、山形城跡４６２、秋田□□パーク４６３、岩手▽▽ランド４６４および伊豆４６６については、基準位置（家４６０）からの距離が５００ｋｍ未満であり、隣接する撮影エリア間における距離が３００ｋｍ未満であるものとする。しかしながら、札幌芸術の森４６５は、隣接する岩手▽▽ランド４６４との距離が４００ｋｍから１０００ｋｍの範囲内であるものとし、那覇４６７は、隣接する伊豆４６６との距離が１０００ｋｍ以上であるものとする。この場合には、札幌芸術の森４６５の配置が、図７に示す撮影エリア配置構成テンプレート４００における「北東５」から「北東８」に変更される。すなわち、３つの矩形をあけて配置される。また、那覇４６７の配置が、図７に示す撮影エリア配置構成テンプレート４００における「南西２」から「南西７」に変更される。すなわち、５つの矩形をあけて配置される。
【０１７２】
このように、隣接する撮影エリア間における距離が一定以上離れている場合には、その間を詰めずにあけて配置することにより、その撮影エリア間における遠さをユーザが直感的に把握することができる。
【０１７３】
また、以上では、撮影エリアを設定する場合に、位置情報のみに基づいて決定する例を示した。しかしながら、コンテンツに関連付けて記録されている日時情報を用いて撮影エリアを設定するようにしてもよい。例えば、同日に撮影されたコンテンツのみを同一撮影エリアに分類し、撮影位置が同一であっても撮影日が異なるコンテンツについては、他の撮影エリアに分類する。また、これらの撮影エリアを配置する場合には、撮影日の順序で配置を決定することができる。
【０１７４】
図２４は、本発明の第１の実施の形態における入出力パネル２１０に表示される撮影エリア表示画面の一例（撮影エリア表示画面５６０）を示す図である。図２４に示す表示例は、図１６の変形例であり、同日に撮影されたコンテンツのみを同一撮影エリアに分類し、撮影日の順序で配置を決定する例を示す。
【０１７５】
図１４（ａ）に示す伊豆４６６において、撮像装置１００を用いて２月７日および８日の２日間に撮影を行った場合を想定する。例えば、位置情報取得部３２０が、コンテンツ記憶部１６１に記憶されている各コンテンツを取得し、取得されたコンテンツから位置情報および日時情報（例えば、図４（ｂ）に示す付属情報２５１に含まれる）を取得する。続いて、グループ設定部３３０は、位置情報取得部３２０により取得された各コンテンツの位置情報および日時情報に基づいて、撮影エリアを設定する。例えば、伊豆４６６の撮影エリアとして、２月７日の撮影エリアと、２月８日の撮影エリアとが設定され、撮影された日にちに応じて、コンテンツが属する撮影エリアが設定される。また、撮影エリア配置決定部３６０が、伊豆４６６の２月７日の撮影エリアと、伊豆４６６の２月８日の撮影エリアとについて、撮影日の順序で配置を決定する。例えば、伊豆４６６の２月７日の撮影エリアが「南西１」に配置され、伊豆４６６の２月８日の撮影エリアが「南西２」に配置される。また、図２４に示すように、伊豆４６６の２月７日の撮影エリアには「伊豆（２／７）」がタイトルとして付与され、伊豆４６６の２月８日の撮影エリアには「伊豆（２／８）」がタイトルとして付与される。
【０１７６】
このように、位置情報および日時情報を用いて撮影エリアの配置を決定することにより、例えば、旅行先での日程毎にコンテンツを分類して管理することができる。
【０１７７】
［撮影エリア設定の変形例］
また、以上では、最初に取得されたコンテンツの位置を基準として撮影エリアを設定する例を示した。このため、コンテンツの位置情報の取得順序に応じて、撮影エリアの位置が大きく変更される可能性がある。そこで、以下では、撮影エリアに含まれるコンテンツ全体を考慮して撮影エリアを設定する例について説明する。
【０１７８】
例えば、グループ設定部３３０は、最初のコンテンツＡＡ１の位置情報に基づいて、コンテンツＡＡ１の位置を含む撮影エリアＥＸ１を設定する。続いて、撮影エリアＥＸ１に含まれるコンテンツＡＢ１が存在する場合には、コンテンツＡＡ１に対応する位置と、コンテンツＡＢ１に対応する位置とを結ぶ線分の中間位置を新たな撮影エリアＥＸ１の中心位置とする。続いて、新たな撮影エリアＥＸ１に含まれるコンテンツＡＣ１が存在する場合には、コンテンツＡＡ１乃至ＡＣ１のそれぞれに対応する位置を頂点とする多角形（三角形）の重心位置を新たな撮影エリアＥＸ１の中心位置とする。以降も同様に、撮影エリアに含まれる複数のコンテンツに関する重心位置を基準として新たな撮影エリアＥＸ１を順次設定する。
【０１７９】
このように、撮影エリアＥＸ１に含まれる複数のコンテンツの位置を考慮して撮影エリアを設定することにより、コンテンツの位置情報の取得順序に依存しない撮影エリアの設定を行うことができる。
【０１８０】
＜２．第２の実施の形態＞
本発明の第１の実施の形態では、同一サイズの撮影エリアにより複数のコンテンツを分類する例について説明した。本発明の第２の実施の形態では、基準位置からの距離、または、地域の特性に応じて撮影エリアのサイズを変更して複数のコンテンツを分類する例について説明する。なお、本発明の第２の実施の形態における撮像装置の構成については、本発明の第１の実施の形態と略同様である。このため、以下では、本発明の第１の実施の形態と異なる部分を中心に説明する。
【０１８１】
［撮影エリアのサイズ決定例］
図２５は、本発明の第２の実施の形態におけるグループ設定部３３０により設定される撮影エリアのサイズを模式的に示す図である。ここで、グループ設定部３３０は、基準位置からの距離に応じて、複数のコンテンツを分類するための撮影エリアのサイズを変更する点以外は、本発明の第１の実施の形態と同様である。
【０１８２】
図２５において、ユーザ操作により設定された基準位置を基準位置６００とする。また、基準位置６００を中心とする場合に、半径１０ｋｍの円を円６０２とし、半径１００ｋｍの円を円６０４とする。
【０１８３】
例えば、グループ設定部３３０は、コンテンツに関連付けられている位置情報により特定される位置が、基準位置６００から１０ｋｍ以内の範囲に存在する場合には、半径５０ｍの円を撮影エリア６０１として設定する。
【０１８４】
また、例えば、グループ設定部３３０は、コンテンツに関連付けられている位置情報により特定される位置が、基準位置６００から１０ｋｍ以上であるとともに１００ｋｍ未満の範囲に存在する場合には、半径５００ｍの円を撮影エリア６０３として設定する。
【０１８５】
また、例えば、グループ設定部３３０は、コンテンツに関連付けられている位置情報により特定される位置が、基準位置６００から１００ｋｍ以上の範囲に存在する場合には、半径５０００ｍの円を撮影エリア６０５として設定する。
【０１８６】
このように、グループ設定部３３０は、基準位置６００から距離が比較的近い場所で撮影されたコンテンツについては、比較的小さいサイズの撮影エリアにより分類する。一方、グループ設定部３３０は、基準位置６００から距離が比較的遠い場所で撮影されたコンテンツについては、比較的大きいサイズの撮影エリアにより分類する。このように、基準位置６００からの距離に応じて、撮影エリアのサイズを変更することにより、例えば、基準位置６００が、ユーザの家である場合には、ユーザの家の近所の各地において撮影されたコンテンツを撮影場所毎に細かく分類することができる。例えば、ユーザの家の近所の公園、近所の商店街、子供の学校付近等の場所において撮影されたコンテンツについても、それぞれ異なる撮影エリアに分類することができる。一方、ユーザが他県や外国に旅行に行った場合に、その旅行先の各地において撮影されたコンテンツについては、その旅行における各地で大まかに分類することができる。例えば、東京のユーザが、北海道に旅行に行った場合には、北海道内の比較的広い範囲の場所において撮影されたコンテンツについても、同一撮影エリアに分類することができる。このように、近所での撮影と、旅行等の特別な撮影とでは、ユーザにとって分類したい範囲が大きく異なることがあるため、その用途に応じて撮影エリアを設定することができる。なお、図２５では、説明の容易のため、３つのサイズの撮影エリアのみを示すが、撮影エリアのサイズをさらに細かく設定するようにしてもよい。
【０１８７】
また、コンテンツに関連付けられている位置情報により特定される位置に応じて、撮影エリアを変更するようにしてもよい。例えば、コンテンツに関連付けられている位置情報により特定される位置が、有名なランドマーク（例えば、有名なテーマパーク、動物園）に含まれる場合には、そのランドマークを包含する程度のサイズの撮影エリアを設定するようにしてもよい。この場合に、有名なランドマークについては、位置およびサイズが固定されている撮影エリアを設定し、この撮影エリアにより各コンテンツを分類するようにしてもよい。また、人の少ない山間部等においては、撮影エリアを比較的大きいサイズに設定するようにしてもよい。これらの撮影エリアのサイズをユーザの手動操作により設定するようにしてもよい。
【０１８８】
このように、撮影場所に応じて、撮影エリアを変更することにより、ユーザの撮影行動に応じた撮影エリアの設定を行うことができる。
【０１８９】
＜３．第３の実施の形態＞
本発明の第１の実施の形態では、撮影エリア表示画面を表示する例について説明した。本発明の第３の実施の形態では、撮影エリア表示画面において、ユーザが注視していると想定される方位を、他の方位と区別して表示する例について説明する。なお、本発明の第３の実施の形態における撮像装置の構成については、本発明の第１の実施の形態と略同様である。このため、以下では、本発明の第１の実施の形態と異なる部分を中心に説明する。
【０１９０】
［表示制御例］
図２６は、本発明の第３の実施の形態における入出力パネル２１０に表示される撮影エリア表示画面に含まれる基準位置および撮影エリア群の表示例を示す図である。なお、以下では、説明の容易のため、各撮影エリアに付されているタイトルの代わりに、図７に示す撮影エリア配置構成テンプレート４００における名称を付して説明する。また、図２６に示す例は、方位毎に異なる表示態様とした点以外は、図７に示す撮影エリア配置構成テンプレート４００と略同様である。
【０１９１】
ここで、ユーザが入出力パネル２１０に表示される撮影エリア表示画面を見ている場合を考える。この場合には、比較的多数の撮影エリアが隣接して表示されるため、ユーザに一画面で与える情報量が多くなる。例えば、ユーザが注視していると想定される方位以外の他の方位を目立たなくする処理等を行うことにより、ユーザは所望の方位のみを集中して見ることができると考えられる。そこで、以下では、ユーザが注視していると想定される方位以外の他の方位を目立たなくする等を行う例を示す。
【０１９２】
図２７は、本発明の第３の実施の形態における注視方位と、目立たなくする処理の対象となる処理対象方位との関係を示す図である。注視方位８１１は、ユーザが注視していると想定される方位であり、例えば、８方位が対象となる。処理対象方位８１２は、目立たなくする処理の対象となる方位であり、例えば、注視方位８１１に隣接する方位以外の方位とする。これらの関係を示す情報については、表示制御部３７０が保持する。なお、表示制御部３７０は、特許請求の範囲に記載の検出部の一例である。
【０１９３】
図２８は、本発明の第３の実施の形態における入出力パネル２１０に表示される撮影エリア表示画面に含まれる基準位置および撮影エリア群の表示例を示す図である。この例では、処理対象方位８１２に対応する各撮影エリアを表す矩形を目立たない色（例えば、グレー）にして表示する例を示す。また、この例では、カーソル８２０を用いてユーザが操作を行う場合を想定して説明する。
【０１９４】
例えば、カーソル８２０を用いてユーザが操作を行った場合には、表示制御部３７０が、移動後のカーソル８２０の位置を検出し、移動後のカーソル８２０の位置に対応する方位を検出する。続いて、表示制御部３７０が、移動後のカーソル８２０の位置に対応する方位を、図２７に示す注視方位８１１とし、注視方位８１１に対応する処理対象方位８１２を特定する。例えば、図２８に示すように、移動後のカーソル８２０の位置に対応する方位が、西である場合には、処理対象方位８１２として、南、南東、東、北東、北が特定される。続いて、表示制御部３７０が、処理対象方位８１２として特定した方位に対応する撮影エリアを目立たない色にして表示させる。この場合の表示例を図２８に示す。
【０１９５】
この例では、カーソルを用いてユーザが操作を行う場合について説明したが、例えば、タッチパネルによるユーザの接触操作によりユーザ操作が行われる場合には、その接触位置に対応する方位を注視方位８１１として上記と同様に表示制御を行うことができる。
【０１９６】
また、例えば、ユーザの視線の位置を検出する視線検出装置を撮像装置１００に設け、この視線検出装置により検出されたユーザの視線に基づいて注視方位を特定して、上記と同様に表示制御を行うようにしてもよい。なお、視線検出装置は、特許請求の範囲に記載の検出部の一例である。
【０１９７】
なお、この例では、処理対象方位８１２として特定した方位に対応する撮影エリアを目立たない色（例えば、グレー）にして表示させる例を示すが、例えば、各撮影エリアに付された標識（文字、サムネイル画像等）を消去するようにしてもよい。また、各撮影エリア自体を消去して隠すようにしてもよい。また、これらの場合に、フェードアウト処理を行うようにしてもよい。ここで、フェードアウトは、例えば、時間の経過に応じて、対象撮影エリアを順次変更する視覚表現を意味する。例えば、時間の経過に応じて、対象撮影エリアを順次黒くしていき、最終的には黒一色の画像とすることができる。図２９には、各撮影エリアに付された標識を消去する表示例を示す。
【０１９８】
図２９は、本発明の第３の実施の形態における入出力パネル２１０に表示される撮影エリア表示画面に含まれる基準位置および撮影エリア群の表示例を示す図である。この例では、処理対象方位８１２に対応する各撮影エリアに付された標識を消去する表示例を示す。なお、図２９に示す例は、処理対象方位８１２に対応する各撮影エリアの態様の変更方法が異なる以外は、図２８に示す例と同様であるため、ここでの説明を省略する。
【０１９９】
［撮像装置の動作例］
図３０は、本発明の第３の実施の形態における撮像装置１００による表示制御処理の処理手順を示すフローチャートである。この例では、カーソルを用いてユーザ操作が行われ、処理対象方位における各撮影エリアを表す矩形を目立たない色（特定色）にして表示する例を示す。
【０２００】
最初に、ユーザによりカーソルの移動操作が行われたか否かが判断される（ステップＳ９８１）。カーソルの移動操作が行われていない場合には（ステップＳ９８１）、ステップＳ９８６に進む。カーソルの移動操作が行われた場合には（ステップＳ９８１）、表示制御部３７０が、移動後のカーソルの位置を検出し（ステップＳ９８２）、検出された位置に対応する方位を検出する（ステップＳ９８３）。
【０２０１】
続いて、表示制御部３７０が、検出された方位に基づいて、処理対象方位を特定する（ステップＳ９８４）。続いて、表示制御部３７０が、処理対象方位における各撮影エリアを特定色に変更する処理を行う（ステップＳ９８５）。続いて、ユーザにより他の画面を表示する指示操作が行われたか否かが判断される（ステップＳ９８６）。この指示操作は、例えば、ユーザにより選択された撮影エリアに属するコンテンツ一覧画面を表示する指示操作や、直前の画面に戻る指示操作である。その指示操作が行われていない場合には（ステップＳ９８６）、ステップＳ９８１に戻り、その指示操作が行われた場合には、表示制御処理の動作を終了する。
【０２０２】
＜４．変形例＞
本発明の第１乃至３の実施の形態では、各撮影エリアを８方位に分類して配置する例について説明した。しかしながら、上述したように、８方位以外に分類して配置するようにしてもよい。そこで、以下では、変形例として、４方位および１６方位に分類して配置する例を示す。
【０２０３】
図３１は、本発明の実施の形態の変形例における撮影エリア配置決定部３６０により保持されている撮影エリア配置構成テンプレート８５０を模式的に示す図である。この例では、撮影エリア分類部３５０により各撮影エリアが４方位に分類されるものとする。ここで、４方位は、東、西、南、北の４方位を意味する。また、各撮影エリアを４方位に分類する場合には、９０度単位の方位に分類する。例えば、北を０度（３６０度）とし、東を９０度とし、南を１８０度とし、西を２７０度とした場合において、北の方位を表す範囲をθ２１（３１５度＜θ２１≦４５度）とし、東の方位を表す範囲をθ２２（４５度＜θ２２≦１３５度）とする。また、南の方位を表す範囲をθ２３（１３５度＜θ２３≦２２５度）とし、西の方位を表す範囲をθ２４（２２５度＜θ２４≦３１５度）とする。
【０２０４】
撮影エリア配置構成テンプレート８５０は、撮影エリア配置決定部３６０により撮影エリアの配置を決定する際に用いられるテンプレートである。撮影エリア配置構成テンプレート８５０は、例えば、基準位置８５１を中心として、４方位に略放射状に撮影エリアを順次配置するためのテンプレートである。図３１では、各撮影エリアが配置される位置を示す矩形内には、各方位を示す文字（北、東等）と、配列順序を示す数字とを示す。また、各方位間の境界を太線で示す。また、表示の際には、撮影エリア配置構成テンプレート８５０の配置構成に従って、各撮影エリアが表示される。
【０２０５】
図３２は、本発明の実施の形態の変形例における撮影エリア配置決定部３６０により保持されている撮影エリア配置構成テンプレート８６０を模式的に示す図である。この例では、撮影エリア分類部３５０により各撮影エリアが１６方位に分類されるものとする。ここで、１６方位は、北、北東、北北東等の１６方位を意味する。また、各撮影エリアを１６方位に分類する場合には、２２．５度単位の方位に分類する。例えば、北を０度（３６０度）とし、東を９０度とし、南を１８０度とし、西を２７０度とした場合において、北の方位を表す範囲をθ３１（３４８．７５度＜θ３１≦１１．２５度）とする。また、北北東の方位を表す範囲をθ３２（１１．２５度＜θ３２≦３３．７５度）とする。
【０２０６】
撮影エリア配置構成テンプレート８６０は、撮影エリア配置決定部３６０により撮影エリアの配置を決定する際に用いられるテンプレートである。ここで、各撮影エリアを表す形状は、六角形とすることができる。また、基準位置８６１として、中心位置の４つの六角形を配置する。そして、撮影エリア配置構成テンプレート８６０は、例えば、基準位置８６１を中心として、１６方位に略放射状に撮影エリアを順次配置するためのテンプレートである。図３２では、各撮影エリアが配置される位置を示す六角形内には、各方位を示す文字（北、東等）と、配列順序を示す数字とを示す。また、各方位間の境界を太線で示す。また、表示の際には、撮影エリア配置構成テンプレート８６０の配置構成に従って、各撮影エリアが表示される。
【０２０７】
なお、本発明の実施の形態では、４、８、１６方位のみを示したが、他の一定間隔の方位（例えば、３２方位）とするようにしてもよい。また、例えば、ユーザが頻繁に撮影に訪れる場所が存在する方位については、比較的狭い範囲を設定し、ユーザがほとんど撮影に訪れることがない場所が存在する方位については、比較的広い範囲を設定するようにしてもよい。これらの設定をユーザの手動操作により行うようにしてもよい。また、撮影エリアを表す形状として、矩形または六角形の例を示したが、他の多角形や丸等の形状とするようにしてもよい。また、各撮影エリアを表す形状の大きさおよび形状を同一とする例を示したが、例えば、属するコンテンツの数に応じて、各撮影エリアの大きさや形状を変更するようにしてもよい。図３３には、属するコンテンツの数に応じて、各撮影エリアの大きさを変更する例を示す。
【０２０８】
図３３は、本発明の第３の実施の形態における入出力パネル２１０に表示される撮影エリア表示画面に含まれる基準位置および撮影エリア群の表示例を示す図である。図３３に示す表示例は、図２６の変形例であり、「南４」および「東４」の大きさを変更して点以外は、図３３と同様である。
【０２０９】
図３３では、「南４」および「東４」の撮影エリアに属するコンテンツの数が大きい場合における表示例を示す。このように、属するコンテンツの数に応じて、各撮影エリアの大きさを変更することにより、撮影エリアに含まれるコンテンツの量の大小をユーザが直感的に把握することができる。これにより、ユーザの好みの撮影エリアを迅速に選択することができる。
【０２１０】
なお、本発明の実施の形態では、撮影エリア（グループ）を表す標識として、その場所等の文字を用いる例を示したが、例えば、撮影エリアに属するコンテンツのサムネイル画像等を用いるようにしてもよい。例えば、撮影エリアに属するコンテンツが静止画コンテンツである場合には、そのサムネイル画像を用いることができる。また、撮影エリアに属するコンテンツが動画コンテンツである場合には、代表フレーム（例えば、先頭フレーム）のサムネイル画像を用いることができる。
【０２１１】
また、本発明の実施の形態では、撮影エリア配置情報を生成する指示操作が行われた場合に、撮影エリア配置情報を生成して記憶しておき、撮影エリア表示画面を表示させる指示操作が行われた場合に、撮影エリア表示画面を表示する例を示した。しかしながら、例えば、撮影エリア表示画面を表示させる指示操作が行われる毎に、撮影エリア配置情報を順次生成し、この生成された撮影エリア配置情報に基づく撮影エリア表示画面を表示するようにしてもよい。例えば、図１５に示す操作画面５００を表示する代わりに、ユーザ操作により所望の地図を表示させ、この地図上において所望の位置をユーザが指定することにより基準位置を指定し、この指定操作を撮影エリア表示画面を表示させる指示操作とする。そして、この指示操作が行われる毎に、撮影エリア配置情報を順次生成し、この生成された撮影エリア配置情報に基づく撮影エリア表示画面を表示する。
【０２１２】
また、本発明の実施の形態では、コンテンツが生成された撮影エリアを単位として、方位毎に分類して撮影エリアを表す画像を表示する例を示した。しかしながら、例えば、コンテンツ自体を単位として、方位毎に分類してコンテンツを表す画像を表示するようにしてもよい。すなわち、位置情報に基づいて基準位置からの方位をコンテンツ毎に算出し、この算出された方位に基づいて各コンテンツを特定方位毎に分類し、この分類されたコンテンツを撮影エリア配置構成テンプレートに従って配置して表示する。この場合に、例えば、撮影エリア配置構成テンプレートを構成する矩形に対応する位置に、コンテンツのサムネイル画像を配置して表示させることができる。
【０２１３】
なお、本発明の実施の形態では、デジタルスチルカメラ等の撮像装置を例にして説明したが、例えば、音楽、動画、静止画等のコンテンツを再生することが可能な携帯型メディアプレーヤー等の情報処理装置に本発明の実施の形態を適用することができる。また、例えば、文書データ等のコンテンツを生成して表示することが可能なパーソナルコンピュータ等の情報処理装置に本発明の実施の形態を適用することができる。また、本発明の実施の形態では、位置情報として画像コンテンツが生成された位置（撮像位置）を用いる例を示したが、例えば、画像データや文書データ等のコンテンツが生成または更新された位置を位置情報として用いるようにしてもよい。
【０２１４】
なお、本発明の実施の形態は本発明を具現化するための一例を示したものであり、本発明の実施の形態において明示したように、本発明の実施の形態における事項と、特許請求の範囲における発明特定事項とはそれぞれ対応関係を有する。同様に、特許請求の範囲における発明特定事項と、これと同一名称を付した本発明の実施の形態における事項とはそれぞれ対応関係を有する。ただし、本発明は実施の形態に限定されるものではなく、本発明の要旨を逸脱しない範囲において実施の形態に種々の変形を施すことにより具現化することができる。
【０２１５】
また、本発明の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。この記録媒体として、例えば、ＣＤ（Compact Disc）、ＭＤ（MiniDisc）、ＤＶＤ（Digital Versatile Disk）、メモリカード、ブルーレイディスク（Blu-ray Disc（登録商標））等を用いることができる。
【符号の説明】
【０２１６】
１００  撮像装置
１０１  レンズカバー
１０２  レンズ
１０３  ＡＦイルミネータ
１１０  レンズ部
１２０  撮像素子
１２１  ＴＧ
１３０  アナログ信号処理部
１４０  Ａ／Ｄ変換部
１５０  デジタル信号処理部
１６０  記録部
１６１  コンテンツ記憶部
１７０  制御部
１８１  不揮発メモリ
１８２  ＲＯＭ
１８３  ＲＡＭ
１９０  モータドライバ
１９１  アクチュエータ
２００  操作部
２０１  ズームレバー
２０２  シャッターボタン
２０３  再生ボタン
２０４  パワーボタン
２１０  入出力パネル
２１１  表示パネル
２１２  タッチパネル
２２０  ＧＰＳ信号処理部
２３０  タイトル情報記憶部
２４０  撮影エリア配置情報記憶部
３００  操作受付部
３１１  地図情報記憶部
３１２  基準位置設定部
３１３  基準位置保持部
３２０  位置情報取得部
３３０  グループ設定部
３４０  方位算出部
３５０  撮影エリア分類部
３６０  撮影エリア配置決定部
３７０  表示制御部
３８０  表示部
３９０  タイトル書換部
【図１】
2011043931.tif 000003
【図２】
2011043931.tif 000004
【図３】
2011043931.tif 000005
【図４】
2011043931.tif 000006
【図５】
2011043931.tif 000007
【図６】
2011043931.tif 000008
【図７】
2011043931.tif 000009
【図８】
2011043931.tif 000010
【図９】
2011043931.tif 000011
【図１０】
2011043931.tif 000012
【図１１】
2011043931.tif 000013
【図１２】
2011043931.tif 000014
【図１３】
2011043931.tif 000015
【図１４】
2011043931.tif 000016
【図１５】
2011043931.tif 000017
【図１６】
2011043931.tif 000018
【図１７】
2011043931.tif 000019
【図１８】
2011043931.tif 000020
【図１９】
2011043931.tif 000021
【図２０】
2011043931.tif 000022
【図２１】
2011043931.tif 000023
【図２２】
2011043931.tif 000024
【図２３】
2011043931.tif 000025
【図２４】
2011043931.tif 000026
【図２５】
2011043931.tif 000027
【図２６】
2011043931.tif 000028
【図２７】
2011043931.tif 000029
【図２９】
2011043931.tif 000030
【図３０】
2011043931.tif 000031
【図３１】
2011043931.tif 000032
【図３２】
2011043931.tif 000033
【図３３】
2011043931.tif 000034
【図２８】
2011043931.tif 000035